(57)【要約】  本発明は、ヘア・スタイリング・デバイス、ヘア・スタイリング方法、および、ヘア・スタイリング・デバイスの中で使用するのに適切なドライブ・システムに関する。本発明は、とりわけ、髪のセクション（３６）をウェーブ形態にクランプすることなく、髪のセクションにウェーブを付与するためのヘア・スタイリング・デバイス（１０；２１０）に関する。デバイスは、第１の形成部材（２４）および第２の形成部材（２４）を有しており、形成部材同士の間に髪受け入れ領域（３８）を備えている。駆動部材（２０；１２０）が、髪受け入れ領域の中の髪のセクションを変形させるために、第１の形成部材および第２の形成部材に対して移動可能である。駆動部材（２０；１２０）は、駆動部材（２０；１２０）が髪のセクションを変形させるときに、２段階移動を行い、第１の段階において、駆動部材は、第１の方向（Ｄ１）に移動可能であり、髪受け入れ領域の中へ髪のセクション（３６）を駆動し、第２の段階において、駆動部材（２０；１２０）は、第２の方向（Ｄ２）に移動可能であり、第２の方向は、第１の方向に対して所定の角度になっており、それによって、使用中に、髪受け入れ領域（３８）の中の髪のセクションをさらに移動させる。【選択図】図１８
2020537574.tif 000002
【特許請求の範囲】
【請求項１】
髪のセクション（３６）をウェーブ形態にクランプすることなく、前記髪のセクションにウェーブを付与するためのヘア・スタイリング・デバイス（１０；２１０）であって、前記デバイスは、第１の形成部材（２４）および第２の形成部材（２４）と、前記第１の形成部材と前記第２の形成部材との間の髪受け入れ領域（３８）と、駆動部材（２０；１２０）とを有しており、前記駆動部材（２０；１２０）は、使用中の前記髪受け入れ領域の中の前記髪のセクションを変形させるために、前記第１の形成部材および前記第２の形成部材に対して移動可能であり、前記駆動部材（２０；１２０）は、前記駆動部材（２０；１２０）が前記髪のセクションを変形させるときに、２段階移動を行い、第１の段階において、前記駆動部材は、第１の方向（Ｄ１）に移動可能であり、使用中の前記髪受け入れ領域の中へ前記髪のセクション（３６）を駆動し、第２の段階において、前記駆動部材（２０；１２０）は、第２の方向（Ｄ２）に移動可能であり、前記第２の方向は、前記第１の方向に対して所定の角度になっており、それによって、使用中に、前記髪受け入れ領域（３８）の中の前記髪のセクションをさらに移動させる、ヘア・スタイリング・デバイス（１０；２１０）。
【請求項２】
前記駆動部材（２０；１２０）は、前記第１の段階の間に線形に移動する、請求項１に記載のヘア・スタイリング・デバイス（１０；２１０）。
【請求項３】
前記駆動部材は、前記第２の段階の間に線形に移動する、請求項１または２に記載のヘア・スタイリング・デバイス（１０；２１０）。
【請求項４】
前記駆動部材（２０；１２０）は、前記第１の段階において、スタート位置から中間位置へ移動可能であり、前記第２の段階において、前記中間位置から限界位置へ移動可能である、請求項１〜３のいずれか一項に記載のヘア・スタイリング・デバイス（１０；２１０）。
【請求項５】
前記駆動部材（２０；１２０）の一部（４０）は、前記スタート位置において、前記髪受け入れ領域（３８）の外側にあり、前記中間位置において、前記髪受け入れ領域の内側にある、請求項４に記載のヘア・スタイリング・デバイス（１０；２１０）。
【請求項６】
前記駆動部材（２０；１２０）は、開口部（７８；１７８；２７８）を有しており、前記開口部は、縁部（８４）とエクステンション（８６）とを有しており、前記縁部（８４）は、前記第１の段階における前記第１の方向（Ｄ１）の距離および角度を決定しており、前記エクステンション（８６）は、前記第２の段階における前記第２の方向（Ｄ２）の距離および角度を決定している、請求項１〜５のいずれか一項に記載のヘア・スタイリング・デバイス（１０；２１０）。
【請求項７】
複数の駆動部材（２０；１２０）を有しており、それぞれの駆動部材は、２つの近隣の形成部材（２４）に対して移動可能である、請求項１〜６のいずれか一項に記載のヘア・スタイリング・デバイス（１０；２１０）。
【請求項８】
前記駆動部材（２０；１２０）のそれぞれの移動は、それぞれのドライブ・メカニズムによって制御され、前記ドライブ・メカニズムのうちの少なくとも２つの前記駆動部材は、単一のモーターによって作動させられる、請求項７に記載のヘア・スタイリング・デバイス（１０；２１０）。
【請求項９】
前記ドライブ・メカニズムのうちの前記少なくとも２つは、機械的に同一である、請求項８に記載のヘア・スタイリング・デバイス（１０；２１０）。
【請求項１０】
前記髪受け入れ領域（３８）は、チャネルであり、前記第１および第２の形成部材（２４）は、前記チャネルの長手方向軸線の方向に細長い、請求項１〜９のいずれか一項に記載のヘア・スタイリング・デバイス（１０；２１０）。
【請求項１１】
前記駆動部材（２０）は、複数の直立した駆動エレメント（２２、２２ａ、２２ｂ；１２２）を有しており、前記駆動エレメント（２２、２２ａ、２２ｂ；１２２）は、使用中に、それぞれの駆動エレメントの間で、前記髪のセクション（３６）を髪のより小さいセクション（３６ａ）に分離する、請求項１〜１０のいずれか一項に記載のヘア・スタイリング・デバイス（１０；２１０）。
【請求項１２】
前記形成部材（２４）のうちの少なくとも１つは、複数の直立した形成エレメント（２６）を有しており、前記形成エレメント（２６）は、使用中に、それぞれの形成エレメントの間で、前記髪のセクション（３６）を髪のより小さいセクション（３６ａ）に分離する、請求項１〜１１のいずれか一項に記載のヘア・スタイリング・デバイス（１０；２１０）。
【請求項１３】
本体部（１２；２１２）および閉鎖パーツ（１６；２１６）を有しており、前記閉鎖パーツは、開位置と閉位置との間で前記本体部に対して移動可能であり、前記駆動部材（２０；１２０）は、前記本体部に装着されており、前記形成部材（２４）は、前記閉鎖パーツに装着されている、請求項１〜１２のいずれか一項に記載のヘア・スタイリング・デバイス（１０；２１０）。
【請求項１４】
前記駆動エレメント（２２、２２ａ、２２ｂ）は、前記閉鎖パーツがその閉位置にあるときに、前記形成エレメント（２６）に重なり合っている、請求項１１および１２に従属するときの請求項１３に記載のヘア・スタイリング・デバイス（１０）。
【請求項１５】
前記駆動部材（２０；１２０）は、１次的な駆動エレメント（２２ａ）を有しており、前記１次的な駆動エレメント（２２ａ）は、前記髪のより小さいセクション（３６ａ）を髪変形方向（Ｄ２）に駆動するように適合されており、前記駆動部材（２０；１２０）は、また、２次的な駆動エレメント（２２ｂ）を有しており、前記２次的な駆動エレメント（２２ｂ）は、前記髪変形方向とは反対の方向に前記髪のより小さいセクション（３６ａ）を駆動するように適合されている、請求項１〜１４のいずれか一項に記載のヘア・スタイリング・デバイス（１０）。
【請求項１６】
請求項１〜１５のいずれか一項に記載のヘア・スタイリング・デバイスによって髪のセクションをスタイリングする方法であって、前記方法は：
｛ｉ｝前記駆動部材（２０；１２０）を前記第１の方向（Ｄ１）に移動させ、前記髪のセクション（３６）を前記髪受け入れ領域（３８）の中へ変形させるステップと、
｛ｉｉ｝前記駆動部材（２０；１２０）を前記第２の方向（Ｄ２）に移動させ、前記髪受け入れ領域（３８）の中の前記髪のセクション（３６）をさらに変形させるステップと、
｛ｉｉｉ｝前記第２の方向とは反対の方向に前記駆動部材（２０；１２０）を移動させ、前記髪のセクション（３６）が前記髪受け入れ領域の中で弛緩することを可能にするステップと、
｛ｉｖ｝前記髪のセクションのスタイルをセットするステップと
を含む、方法。
【請求項１７】
前記ヘア・スタイリング・デバイスは、少なくとも１つの加熱エレメントと、前記加熱エレメントを作動させるためのコントローラーとを有しており、前記コントローラーは、ステップ｛ｉｉｉ｝の後に、前記加熱エレメントを作動させるように構成されている、請求項１６に記載の方法。
【請求項１８】
前記加熱エレメントのスイッチを切ることと、スタイリングされた前記髪のセクションを前記デバイスから解放することとの間に、所定の遅れが存在している、請求項１７に記載の方法。
【発明の詳細な説明】
【技術分野】
【０００１】
本発明は、ヘア・スタイリング・デバイスに関し、ヘア・スタイリング方法に関し、また、ヘア・スタイリング・デバイスの中での使用に適切なドライブ・システムに関する。本発明は、とりわけ、ヘア・ウェービング・デバイスに関する。
【背景技術】
【０００２】
ヘア・スタイリング・デバイスは、本発明者らのうちの１人による国際公開第９５／２２９２０号に説明されている。国際公開第９５／２２９２０号は、髪のセクションをラテックスなどの弾性チューブの中へ挿入することによって、髪のセクション（または、長さ）をスタイリングする方法を開示しており、チューブは、長さ方向に引き伸ばされ、チューブの端部は、髪のセクションのそれぞれのパーツに固定される。弾性チューブは、収縮することを許容され、収縮すると、含有されている髪のセクションが強制的にウェーブ状の形態にされる。髪は、チューブの中への挿入の前または後にトリートメントされ得、髪がチューブから除去された後に、ウェーブ状の形態が維持されるようになっている。
【０００３】
また、国際公開第９５／２２９２０号は、方法の中で使用するためのデバイスを説明している。同様のヘア・スタイリング方法の中で使用するための改善されたデバイスが、後の出願の国際公開第９７／４６１３２号、国際公開第００／５７７４４号、国際公開第００／０８９６７号、および国際公開第２０１２／１５３１１８号に説明されている。
【０００４】
公開された出願の国際公開第２０１４／１２２４４２号は、さらに改善されたヘア・スタイリング・デバイスを説明しており、そこでは、チャンバーの中の駆動部材および形成部材の相対的な移動によって、髪のセクションがスタイリング・チャンバーの中へ引き込まれる。１つまたは複数の駆動部材は、近隣の形成部材同士の間の髪受け入れ領域の中へ髪のセクションを押圧し、所望のウェーブを生成させる。熱および／またはトリートメント製品が、ウェーブをセットするために、髪のセクションに適用され得る。駆動部材がシーケンシャルに移動させられ得、髪のセクションに印加される張力が最小化されるようになっているということは、国際公開第２０１４／１２２４４２号の特定の利点である。
【０００５】
上記に説明されている文献のすべては、ウェーブ状の形態へと髪のセクションを駆動し、また、ヘア・ウェービング・デバイスとして説明され得る。本発明は、同様に、ウェーブ状の形態へと髪のセクションを駆動し、また、これらの公知のヘア・ウェービング・デバイスに対するさらなる改善であると考えられ得る。
【０００６】
別のタイプのヘア・スタイリング・デバイスが、国際公開第２００９／０７７７４７号、国際公開第２０１２／０８０７５１号、国際公開第２０１３／１８６５４７号、および国際公開第２０１５／１３２５９４号のそれぞれに説明されている。これらの文献は、髪のセクションが細長い部材に巻き付けられ、髪のセクションがウェーブよりもむしろカールへと形成されるようになっている、デバイスを説明している。
【０００７】
また、ヘア・クリンパーは、強制的に髪のセクションをウェーブ状の形態にし、クリンパーは、実質的に三角形の形態の一連のコルゲーションをそれぞれ有する１対のプレートを含む。プレートは、一方のプレートのコルゲーションのピークが他方のプレートのコルゲーションのトラフの中へフィットした状態で（また、その逆も同様）、一緒にフィットするように設計されている。プレートは、通常は加熱され、所望のクリンプされた形態へと髪をスタイリングするようになっている。ヘア・クリンパーによって生成されるウェーブは、典型的に、上記に列挙されている特許文献の方法および装置によって生成されるものよりも、振幅および波長がはるかに小さい。
【０００８】
「ヘア・ウェーバー」は、髪が２つの相補的な加熱された表面の間にクランプされるという点において、ヘア・クリンパーと同様の製品である。ヘア・ウェーバーでは、相補的な表面は、通常は、比較的に大きい曲率半径によって湾曲しており、ユーザーの髪の中のウェーブがクリンパーによって形成されるものよりもかなり大きくなるようになっている。このタイプの特定の製品は、髪のセクションの中に作り出される比較的に大きいサイズのウェーブを強調するために、「ジャンボ・ウェーバー」または「ディープ・ウェーバー」と称される。
【０００９】
英国特許出願公開第３０３０４３号明細書は、１対の波形のプレートを含むヘア・ウェーバーを説明しており、１対の波形のプレートは、一緒に枢動させられ、一方のプレートのコルゲーションのピークは、他方のプレートのコルゲーションのトラフの中へフィットしており、それによって、プレート同士の間に髪をクランプし、髪を第１の方向のウェーブへと形成する。一方のプレートの交互のコルゲーションは、それらの近隣のコルゲーションに対して、また、他方のプレートのコルゲーションに対して、第２の方向に長手方向に移動可能であり、第２の方向は、第１の方向に対して垂直になっており、それによって、より複雑なウェーブを形成することを求める。
【先行技術文献】
【特許文献】
【００１０】
【特許文献１】国際公開第９５／０２２９２０号
【特許文献２】国際公開第９７／０４６１３２号
【特許文献３】国際公開第００／０５７７４４号
【特許文献４】国際公開第００／００８９６７号
【特許文献５】国際公開第２０１２／１５３１１８号
【特許文献６】国際公開第２０１４／１２２４４２号
【特許文献７】国際公開第２００９／０７７７４７号
【特許文献８】国際公開第２０１２／０８０７５１号
【特許文献９】国際公開第２０１３／１８６５４７号
【特許文献１０】国際公開第２０１５／１３２５９４号
【特許文献１１】英国特許出願公開第３０３０４３号明細書
【発明の概要】
【発明が解決しようとする課題】
【００１１】
本発明者らは、髪のセクションの中にウェーブを生成させるための代替的な装置および方法を考え出し、本発明は、この装置、および、使用の方法に関するものである。この装置および方法は、下記に記載されているように、公知の装置および方法を上回る利点を有している。また、本発明は、ヘア・スタイリング・デバイスの中で使用するのに適切なドライブ・システムに関するものである。
【課題を解決するための手段】
【００１２】
本発明の第１の態様によれば、髪のセクションをウェーブ形態にクランプすることなく、髪のセクションにウェーブを付与するためのヘア・スタイリング・デバイスであって、デバイスは、第１の形成部材および第２の形成部材と、第１の形成部材と第２の形成部材との間の髪受け入れ領域と、駆動部材とを有しており、駆動部材は、第１の形成部材および第２の形成部材に対して第１の方向に髪受け入れ領域の中へ移動可能であり、駆動部材は、髪のセクションを髪受け入れ領域の中へ駆動するように適合されており、駆動部材は、第１の形成部材および第２の形成部材に対して第２の方向にも移動可能であり、第２の方向は、第１の方向に対して所定の角度になっており、それによって、髪受け入れ領域の中の髪のセクションをさらに移動させる、ヘア・スタイリング・デバイスが提供される。
【００１３】
国際公開第２０１４／１２２４４２号と共通して、髪は、本発明において、加熱されたプレート同士の間にクランプされない。本発明者らは、髪の任意のクランピングを回避することが、より審美的に魅力的なウェーブを作り出すことができるより自然な曲線を有するウェーブを髪が形成することを可能にするということを見出した。また、髪がスタイリング温度まで加熱されて同時にクランプされる場合には、髪への損傷の可能性が増加することが知られており、したがって、任意のクランピングの回避が、損傷の可能性を著しく低減させる。
【００１４】
国際公開第２０１４／１２２４４２号は、駆動部材が、移動の単一の段階において、具体的には、第１の方向に、髪受け入れ領域の中へ移動する配置を開示している；また、駆動部材は、髪受け入れ領域の中の髪のセクションをさらに移動させるために、第２の方向に移動しない。とりわけ、図２３〜図２７の配置において、駆動部材は、連続的な（回転）移動を伴うスパイラルであり、スパイラルの増加する半径は、移動の単一の方向に髪受け入れ領域の中へ髪のセクションを（見られるように、下向きに）押圧する。
【００１５】
２段階の、および、２つの異なる方向への、上述の駆動部材の移動、ならびに、結果として生じる２つの異なる方向への髪受け入れ領域の中への髪のセクションの押圧は、３次元のウェーブを提供し、そのようなウェーブは、多くのユーザーにとって審美的に望ましい。３次元のウェーブは、国際公開第２０１４／１２２４４２号において想定されており、図１２〜図１８に対する代替的な配置が開示されており、そこでは、駆動部材および形成部材の側部同士が、反対側に角度付きになっており、３次元のウェーブを推進する。その実施形態は、髪のセクションが角度付きの側部に係合するときに髪のセクションが横方向に移動することに依存しており、２つの異なる方向への駆動部材の２段階移動のおかげで髪のセクションを３次元の形態へと積極的に駆動する本発明ほど信頼性が高くなくまたは繰り返し性がない。
【００１６】
好ましくは、駆動部材の移動は、第１の方向におよび／または第２の方向に線形になっている。第２の方向は、第１の方向に対して実質的に垂直になっていることが可能であり、駆動部材が、初期に髪のセクションを直接的に髪受け入れ領域の中へ押圧することができ、その後に、直接的に髪受け入れ領域に沿って髪のセクションを移動させることができるようになっている。
【００１７】
駆動部材の垂直の移動は必要ではなく、実用的な実施形態では、駆動部材の移動の第１の方向と第２の方向との間に鋭角が存在することが可能であるということが理解されることとなる。それにもかかわらず、第１の方向への移動と第２の方向への移動との間に鋭角が存在する実施形態は、第１および第２の方向が垂直になっている実施形態よりも機械的に単純であることとなるということが予期される。
【００１８】
第１の段階と第２の段階との間に、駆動部材の移動の任意の休止が存在することは意図されていないが、それは除外されない。また、実用的なデバイスでは、第１の方向の移動と第２の方向の移動との間に、所定の接合部が存在しないこととなるということが予期され、対照的に、駆動部材は、第１の方向への第１の段階移動および第２の方向への第２の段階移動を接合する湾曲した経路に沿って移動することとなるということが予期される。したがって、実用的な実施形態では、移動の第１の段階が終了して移動の第２の段階が開始する場所を精密に決定することが常に可能であるわけではないが、それにもかかわらず、２つの異なる方向への移動の２つの段階を識別することが可能であることとなる。
【００１９】
好ましくは、髪受け入れ領域は、細長いチャネルまたはスロットの形態になっており、第１および第２の形成部材は、チャネルの長手方向軸線の方向に細長くなっている（形成部材は、たとえば、レールまたはビームの形態になっている）。移動の第１の段階の間に、駆動部材は、チャネルの中へ移動することが可能であり、移動の第２の段階の間に、駆動部材は、チャネルに沿って移動することが可能である。また、駆動部材は、細長い形態のもの、たとえば、レールまたはビームであることが可能である。
【００２０】
国際公開第２０１４／１２２４４２号では、髪受け入れ領域は、第１の方向に対して垂直の方向に比較的に小さい寸法を有している。髪受け入れ領域は、チャネルの（または、その他の細長い）形態であることは必要とされない。その理由は、本発明とは異なり、それらは、第２の方向への髪のセクションの任意の重要な移動を収容することを必要とされないからである。
【００２１】
その最も簡単な形態では、デバイスは、２つの形成部材および単一の駆動部材だけを含み、髪のセクションの中へ単一のウェーブを付与することが可能である。しかし、好適な実施形態では、髪のセクションの中へ複数のウェーブを付与するために、複数の髪受け入れ領域を画定する複数の形成部材、および、複数の駆動部材が存在している。好ましくは、髪受け入れチャネルは、近隣の形成部材のそれぞれの対の間に設けられている。
【００２２】
複数の駆動部材を有する実施形態では、好ましくは、髪のセクションが駆動部材によって変形させられるときに、髪のセクションに印加される張力を最小化するために、駆動部材がシーケンシャルに移動するということにされる。第１の駆動部材は、第２の駆動部材が第１の方向に移動させられる前に、第２の方向に移動することを停止することが可能であるが、駆動部材の何らかの重なり合っている移動が提供され得る（そして、重なり合っている移動は、開示されているドライブ・システムを利用するそれらの実施形態に好適である）。髪のセクションをクランプすることがないということは、連続的な駆動部材が髪のセクションが変形することを引き起こすときに、最小の抵抗によって髪が髪受け入れ領域の中に移動することを可能にする。
【００２３】
好ましくは、デバイスの１つまたは複数のパーツが加熱され、それによって、ウェービング・プロセスの間に髪のセクションを加熱する。外部ヘア・ドライヤーの使用は除外されないが、デバイスに装着されている電気式の加熱エレメントなどによる直接的な加熱が好適である。たとえば、形成部材のうちのいくつかまたはすべては（ならびに、適用可能な場合には、駆動部材のうちのいくつかまたはすべても）、電気式の加熱エレメントを含有することが可能である。
【００２４】
望ましくは、チャンバーが、ウェービング・プロセスの間に髪のセクションを含有するために設けられている。そのような実施形態では、形成部材および駆動部材が、チャンバーの中に位置付けされている。また、そのような実施形態では、チャンバーの壁部のうちの１つまたは複数が、それぞれの電気式の加熱エレメントによって加熱され得る。
【００２５】
デバイスの１つの実施形態は、本体部および閉鎖パーツまたは蓋部を有しており、閉鎖パーツは、開位置と閉位置との間で本体部に対して移動可能であり、開位置では、髪のセクションがデバイスの中へ導入され得、閉位置では、チャンバーが実質的に閉じられている。髪のセクションの近位（または、頭皮）端部は、閉鎖パーツがその閉位置にあるときにクランプされており、これが可能であるのは、通常は髪のセクションの近位端部がスタイリング動作の間にデバイスに対して移動する必要がないからであるということにされ得る。それにもかかわらず、近位端部（および、スタイリングされるべきではない髪のセクションの他のパーツ）がデバイスによってクランプされないこととなるということが好適である。好ましくは、（移動可能な）駆動部材は、本体部に装着されており、（固定された）形成部材は、閉鎖パーツに装着されている。また、好ましくは、駆動部材のための制御メカニズムは、本体部の中に装着されている。
【００２６】
好ましくは、複数の駆動部材を有する実施形態では、髪受け入れ領域は、また、隣接する駆動部材のそれぞれの対の間に提供され、したがって、形成部材は、また、隣接する駆動部材の間の髪受け入れ領域の中へ髪のセクションを駆動または押圧するように効果的に作用する。「駆動部材」という用語は、移動可能な髪変形コンポーネントを説明するために本明細書で使用されており、「形成部材」という用語は、移動不可能なまたは固定された髪変形コンポーネントを説明するために使用されている（ここで、移動は、デバイスの本体部に対して考えられる）。これは、駆動部材および形成部材の両方がデバイスの本体部に対して移動可能であるという可能性を排除しないが、そのような実施形態は、著しくより機械的に複雑になる傾向がある。
【００２７】
国際公開第２０１４／１２２４４２号と共通して、チャンバーに閉鎖パーツを提供することは、４つの主な目的を果たす。第１に、チャンバーが加熱される実施形態では、閉鎖パーツは、髪進入開口部を通る対流による熱の損失を低減させることが可能である。第２に、チャンバーが加熱されるそれらの実施形態では、閉鎖パーツは、ユーザーがデバイスの加熱された表面に触れる可能性を低減させることが可能である。第３に、閉鎖パーツは、無関係な髪がチャンバーの中の移動しているコンポーネントによって係合される可能性（それは、そうでなければ、もつれおよび／またはユーザーに対する不快感を引き起こす可能性がある）を低減させることが可能である。第４に、髪のセクションをスタイリングすることを助けるためにヘア・トリートメント製品が使用される場合には、実質的に閉じられたチャンバーは、環境へ逃げる（蒸発した）製品の量を低減させることが可能である。
【００２８】
望ましくは、形成部材は、湾曲した表面を有しており、デバイスの動作の間に髪のセクションが変形させられるときに、髪のセクションが湾曲した表面の周りに曲がる。また、望ましくは、駆動部材は、使用の間に髪のセクションと係合可能な湾曲した表面を有している。湾曲した表面の提供は、ウェーブが形成されるときに、形成部材および駆動部材を越えて髪がスライドすることを支援し、それによって、髪のセクションが駆動部材によって変形させられているときに、髪のセクションの中の張力を最小化する。
【００２９】
いくつかの実施形態では、３つから１０個の間の形成部材、および、それよりも１つ少ない駆動部材が存在している。好適な実施形態では、５つの駆動部材および６つの形成部材が存在しており、それぞれの近隣の対の形成部材は、髪受け入れ領域を提供しており、それぞれの駆動部材は、髪受け入れ領域の中へ（および、髪受け入れ領域に沿って）移動することが可能である。
【００３０】
移動の第１の段階の間に、それぞれの駆動部材は、そのスタート位置またはレスト位置から中間位置へ第１の方向に移動し、次いで、移動の第２の段階の間に、限界位置または極限位置へ第２の方向に移動するということが理解されることとなる。スタート位置と限界位置との間の距離は、デバイスによって作り出されるウェーブのそれぞれの中の髪のセクションの長さの大部分を決定する。したがって、駆動部材がその限界位置にあるときに、髪のセクションの最大の変形が起こる。当然のことながら、動作のそれぞれのサイクルの中に移動のさらなる段階が存在しており、さらなる段階の間に、駆動部材は、スタート位置に移動して戻るが、２段階移動、第１の段階、および第２の段階という用語は、髪のセクションの中の変形を増加させる駆動部材の移動を本明細書では表しており、すなわち、限界位置に向けての駆動部材の移動を表している。
【００３１】
いくつかの実施形態では、それぞれのウェーブの中の髪のセクションの長さは、限界位置の（ユーザーによる）調節を可能にすることによって、たとえば、駆動部材が第２の方向に移動する距離の調節を可能にすることによって、変化させられ得る。
【００３２】
髪の自然な弾性は、駆動部材がそれらの限界位置に到達したときに移動することを停止した後に、髪のセクションが弛緩しようとすることを引き起こすこととなり、すなわち、髪のセクションの中の個々の髪は、真っ直ぐに伸びることを求めることとなり、それによって、髪が曲げられている任意の鋭い角部を軟化させるということが理解されることとなる。髪のセクションが弛緩することとなる程度は、ユーザーの髪タイプによって部分的に決定され、髪のセクションが加熱される温度よって部分的に決定され、および、（他の要因のなかでも）ユーザーの髪が濡れているかまたは乾燥しているかということによって部分的に決定される。本発明者らは、髪が弛緩することを許容することが望ましく、その理由は、それが髪のセクションの中のより柔らかな曲線およびより自然に見えるウェーブを生成させるからであるということを認識した。したがって、駆動部材が限界位置にある状態でウェーブがセットされ得るが、それは、鋭い曲線および審美的に魅力の少ない外観を有するウェーブを生成させる傾向がある。本発明者らは、髪が弛緩する（信頼性が低く変わりやすい）傾向に依存することを好まず、その代わりに、随意的に、ウェーブがセットされる前に、駆動部材を限界位置から離れるように後退させることによって、髪の弛緩を支援する。
【００３３】
代替的に述べられるように、上記の要因に加えて、より自然に見えるウェーブへと弛緩する髪の能力は、駆動部材および形成部材に対する髪のセクションの移動への抵抗によって部分的に制限され；限界位置から離れるように駆動部材を後退させることによって、駆動部材と髪のセクションとの間の係合が低減され（または、恐らく、排除され）、また、髪のセクションの中の張力が低減され、その両方が、髪受け入れ領域の中でより自然に見えるウェーブへと弛緩する髪のセクションの能力を増加させるということが理解されることとなる。
【００３４】
本発明の第２の態様によれば、髪のセクションにウェーブを付与するためのヘア・スタイリング・デバイスであって、デバイスは、第１の形成部材および第２の形成部材と、第１の形成部材と第２の形成部材との間の髪受け入れ領域と、１次的な駆動エレメントとを有しており、１次的な駆動エレメントは、第１の形成部材および第２の形成部材に対して移動可能であり、１次的な駆動エレメントは、髪のセクションを髪受け入れ領域の中へ髪変形方向に移動させるように適合されており、デバイスは、２次的な駆動エレメントを有しており、２次的な駆動エレメントは、第１の形成部材および第２の形成部材に対して移動可能であり、２次的な駆動エレメントは、髪受け入れ領域の中の髪のセクションを髪変形方向とは反対の方向に移動させるように適合されている、ヘア・スタイリング・デバイスが提供される。
【００３５】
国際公開第２０１４／１２２４４２号は、駆動エレメントが髪受け入れ領域の中へ髪変形方向に移動する配置を開示している；しかし、髪変形方向とは反対の方向に髪のセクションを駆動するように適合された２次的な駆動エレメントは存在していない。とりわけ、図２３〜図２７および図２８〜図３２の配置では、駆動エレメントは、髪受け入れ領域の中へ進入し、次いで、髪受け入れ領域から外へ逆に戻り、それは、髪のセクションが髪受け入れ領域の中で弛緩することを許容する。しかし、本発明者らは、ウェーブを柔らかくすることをより信頼性が高く繰り返し可能に（そして、複数のウェーブが髪のセクションに沿って形成される場合には、より均一に）行うために、より弛緩した位置へと髪のセクションを積極的に駆動することが好ましいということを見出した。
【００３６】
上記に説明されているように、本発明者らは、クリンパーおよびヘア・ウェーバーは、最も自然に見える審美的に魅力的なウェーブを生成させず、その理由は、髪がスタイリングされているときに髪がクランプされているからであるということを見出した。対照的に、本発明によって生成されるウェーブの外観は、髪のセクションがその最も自然な湾曲（理想的には、任意の張力またはクランピングがない）をとることができるスペースの中へ髪のセクションが弛緩することを可能にすることによって強化される。したがって、髪のセクションは、最初に、より弛緩した位置へ２次的な駆動エレメントによって駆動されるが、２次的な駆動エレメントは、そのより弛緩した位置において髪を解放し、髪のセクションの最終的な湾曲が、デバイスの表面によってというよりもむしろ髪自身によって主に決定されるようになっているということにされ得る。
【００３７】
本発明の第３の態様によれば、デバイスによって髪のセクションをスタイリングする方法であって、デバイスは、第１の形成部材および第２の形成部材と、第１の形成部材と第２の形成部材との間の髪受け入れ領域と、第１の形成部材および第２の形成部材に対して移動可能な１次的な駆動エレメントと、第１の形成部材および第２の形成部材に対して移動可能な２次的な駆動エレメントとを有しており、方法は：
｛ｉ｝  第１および第２の形成部材に対して１次的な駆動エレメントを移動させ、髪のセクションを第１の髪受け入れ領域の中に髪変形方向に移動させるステップと、
｛ｉｉ｝  第１の形成部材および第２の形成部材に対して２次的な駆動エレメントを移動させ、髪受け入れ領域の中の髪のセクションを髪変形方向とは反対の方向に駆動するステップと
を含む、方法が提供される。
【００３８】
１次的なおよび２次的な駆動エレメントは、第１および第２の形成部材に対して一緒に移動し得る。ステップ｛ｉ｝では、１次的な駆動エレメントは、髪変形方向に限界位置へ移動し得る；ステップ｛ｉｉ｝では、２次的な駆動エレメントは、逆方向に後退位置へ移動し得、または、代替的に、スタート位置へ移動して戻り得る。
【００３９】
好ましくは、２次的な駆動エレメントが（逆）移動を行うまで、および、ウェーブがより弛緩した位置の中へ駆動されるまで、ウェーブは髪のセクションの中にセットされないということにされる。ウェーブが熱の印加によってセットされる実施形態では、２次的な駆動エレメントが逆移動を完了した後まで、所望の動作温度が到達されないということにされ得る。したがって、動作の好適なシーケンスは、髪のセクションを髪受け入れ領域の中に髪変形方向に駆動し、髪受け入れ領域の中の髪のセクションをより弛緩した位置の中へ逆方向に駆動し、次いで、ウェーブをセットするということである。
【００４０】
理想的には、髪のセクションは、ウェーブがセットされる前に、２次的な駆動エレメントから（および、１次的な駆動エレメントからも）解放される。
【００４１】
第１の態様および第２の態様を組み合わせるか、または、第１の態様および第３の態様を組み合わせる実施形態では、１次的なおよび２次的な駆動エレメントが、駆動部材によって担持され得る。また、２次的な駆動エレメントは、第２の方向とは反対の逆方向に髪のセクションを駆動するように適合され得る。
【００４２】
２次的な駆動エレメントは、それ自身で逆方向に移動することが可能であり、または、２次的な駆動エレメントは、髪変形方向とは反対の方向への移動の成分によって、より複雑な経路に沿って移動することが可能である。同様に、髪のセクションは、髪変形方向とは反対の方向への移動の成分によって、所定の経路に沿って２次的な駆動エレメントによって駆動され得る。したがって、第２および第３の態様による本発明は、髪のセクションが髪変形方向とは反対の方向に直接的に駆動されることを必要とせず；２次的な駆動エレメントが、少なくとも、髪変形方向とは反対の方向への移動の成分を有するという条件で、それは、髪のセクションが少なくとも部分的にその方向に移動することを許容することとなり、それによって、より自然に見えるウェーブへと弛緩することを許容することとなるということが認識される。
【００４３】
好ましくは、１次的なおよび２次的な駆動エレメントは、一緒に移動するように接続されており、理想的には、ユニタリー・コンポーネントのパーツになっている。１次的なおよび２次的な駆動エレメントが髪変形方向とは反対の逆方向に一緒に移動する実施形態では、逆方向への１次的な駆動エレメントの移動は、髪のセクションを解放し、髪のセクションが弛緩することを可能にし、逆方向への２次的な駆動エレメントの移動は、より弛緩した位置へ髪のセクションを駆動する。
【００４４】
いくつかの実施形態では、デバイスは、所定の（後退）位置を有しており、２次的な駆動エレメントは、髪変形方向とは反対の方向に、所定の（後退）位置へ逆にされる。しかし、好ましくは、２次的な駆動エレメントは、完全に逆になり、すなわち、２次的な駆動エレメントは、ウェーブがセットされる前に、スタート位置までずっと戻るように移動する。複数の１次的な駆動エレメントおよび複数の２次的な駆動エレメントを有する実施形態では、理想的には、２次的な駆動エレメントのすべてが、後退位置またはスタート位置へ一緒に移動し、駆動エレメントの移動のこの部分の間に髪のセクションにかかる張力がほとんどないかまたは全くないということが認識される。
【００４５】
本発明の第４の態様によれば、髪のセクションをウェーブ形態にクランプすることなく、髪のセクションにウェーブを付与するためのヘア・スタイリング・デバイスであって、デバイスは、第１の形成レールおよび第２の形成レールと、第１の形成レールと第２の形成レールとの間の髪受け入れチャネルと、駆動レールとを有しており、駆動レールは、髪受け入れチャネルの外側の位置と髪受け入れチャネルの中の位置との間で第１の方向に移動可能であり、第１の駆動レールは、また、髪受け入れチャネルに沿って第２の方向に移動可能である、ヘア・スタイリング・デバイスが提供される。
【００４６】
「チャネル」および「レール」という用語は、本発明のこの態様によるそれぞれのコンポーネントの細長い形態を明確化するために使用されているが、その他の方法で、それらのコンポーネントの形態に限定していない。
【００４７】
国際公開第２０１４／１２２４４２号の実施形態は、小さい束を含む髪のセクションにウェーブを付与するように示されて説明されているが、この態様による本発明は、主に、リボンのような髪のセクションの中へウェーブを付与するのに適している。「束」および「リボン」という用語は、精密に定義されていないが、それらは、束がより小さい幅および深さを有しており、一方、リボンが深さよりもはるかに大きい幅を有しているという点において、本明細書で区別されている。とりわけ、細長いチャネルおよび細長い形成レールおよび駆動レールを提供することは、レールに沿っておよびレールを横切って髪をリボンへと広げることによって、より大きい体積の髪をユーザーがスタイリングすることを可能にする。
【００４８】
好ましくは、駆動レールは、複数の直立した駆動エレメントまたはペグを有している。ペグは、レールに沿って髪のセクション（リボン）を分離し、駆動レールが髪受け入れチャネルに沿って移動するときに、個々の髪が隣接するペグ同士の間の適切な位置に残ることを確保することを助ける。ペグがなければ、髪のセクションの中の個々の髪は、駆動レールが移動させられるときに、レールに沿ってスライドし得、デバイスによって生成されるそれぞれのウェーブの髪の所定の長さを低減させる。直立したペグの提供は、ウェーブのそれぞれの中の髪の所定の長さがより信頼性高く制御されることを確保することを助ける。加えて、上昇したペグの提供は、髪のセクションの中の個々の髪のすべてが同様のウェーブ形態へと変形させられることを確保することを助ける（ペグがなければ、より低密度に詰められたリボンの部分の中の個々の髪が、より高密度に詰められたリボンの部分の中の個々の髪よりも多くレールに沿ってスライドする可能性があり、リボンを横切って不均一なウェーブを結果として生じさせる）。
【００４９】
望ましくは、形成レールのうちの少なくとも１つは、複数の直立した形成エレメントまたはペグを有しており、それは、上記に記載されている直立した駆動エレメントと同様の利益を提供する。また、望ましくは、駆動レールの駆動エレメントまたはペグは、デバイスの閉鎖パーツが閉じられているときに、形成レールの形成エレメントまたはペグに重なり合っている。したがって、閉鎖パーツが閉じられているときに、重なり合っているペグは、駆動部材の移動の前に、髪のセクションまたはリボンがより小さいセクションに分離されることを引き起こし、それぞれのより小さい髪のセクションのその後の位置は、駆動部材の移動の間にペグによって大きく制御される。
【００５０】
英国特許出願公開第３０３０４３号明細書とは異なり、髪は、ウェーブ形態でクランプされない。また、複数の形成部材および複数の駆動部材を有する好適な実施形態では、デバイスの駆動部材のすべてが、それぞれの髪受け入れチャネルに沿って移動させられる。
【００５１】
特定の駆動レールのペグのすべてが一緒に移動するということが理解されることとなる。本発明の第２の態様および第４の態様を組み合わせるか、または、第３の態様および第４の態様を組み合わせる実施形態では、１つのペグは、１次的な駆動エレメントであることが可能であり、隣接するペグは、特定の髪のセクションのための２次的な駆動エレメントであることが可能である。
【００５２】
本発明の第５の態様によれば、髪のセクションをウェーブ形態にクランプすることなく、髪のセクションにウェーブを付与するためのヘア・スタイリング・デバイスであって、デバイスは、第１の形成部材および第２の形成部材と、第１の形成部材と第２の形成部材との間の髪受け入れ領域と、駆動部材とを有しており、駆動部材は、第１の形成部材および第２の形成部材に対して移動可能であり、駆動部材は、髪のセクションを髪受け入れ領域の中へ駆動するように適合されており、デバイスは、髪のセクションを保つためのチャンバーを有しており、チャンバーは、少なくとも１つの電気式の加熱エレメントによって加熱され、デバイスは、大気をチャンバーの中へ駆動するように構成された空気フロー発生器を有しており、デバイスは、加熱エレメントおよび空気フロー発生器の動作を制御するためのコントローラーを有しており、コントローラーは、髪のセクションを第１の温度まで加熱し、次いで、デバイスの動作の間に、髪のセクションを第２の温度まで冷却するように構成されており、第２の温度は、室温を上回っており、第１の温度を下回っている、ヘア・スタイリング・デバイスが提供される。
【００５３】
この態様によるデバイスは、髪のセクションのための二重温度体制を提供しており、第１の（高い）温度は、髪のセクションの中にウェーブを生成させるのに適切なレベルにあり、第２の（低い）温度は、生成されたウェーブをセットするのに十分なレベルにあり、また、加熱された表面が触れられた場合にユーザーが火傷する可能性を低減させるのに十分なレベルにある。
【００５４】
したがって、髪のセクションは、熱の印加（典型的に、おおよそ２００℃）によって、所望のウェーブへとより迅速にスタイリングされることとなるということが認識される。また、髪のセクションがデバイスから除去されるときに、髪のセクションがそのような上昇した温度にあるままの場合には、ウェーブのうちのいくらかは喪失されることとなるということが認識される。髪のセクションがデバイスを離れる前に、髪のセクションを冷却することは、起こり得るウェーブの喪失を低減させることとなる。また、髪のセクションを冷却することは、ユーザーによって不注意に触れられる可能性のあるデバイスのコンポーネントの温度を低減させることとなり、それによって、火傷の可能性を低減させる。しかし、第２の温度は、依然として、比較的に高いことが可能であり（たとえば、おおよそ１００℃）、コンポーネントおよび髪の次のセクションをその後に再加熱するためにかかる時間（および、必要とされるエネルギー）が著しく低減されるようになっている。
【００５５】
二重温度体制の使用は、髪が周囲温度および低い温度において比較的に弾性であるが、より高い温度においてより軟質でより展性が大きくなるという事実を利用する。多くの髪タイプに関して、髪は、おおよそ２００℃においてウェーブへと変形するのに十分に軟質になることとなるが、異なる髪タイプは異なる温度を必要とすることとなるということが認識される。また、温度とスタイリング持続期間との間にトレード・オフが存在しており、典型的に、所望に応じて、より低いスタイリング温度は、より長い期間にわたってその変形位置に保持される髪とともに使用され得、または、より高いスタイリング温度は、より短い期間にわたって保持される髪とともに使用され得る。おおよそ２００℃の第１の温度まで髪を加熱することは、髪のセクションの比較的に迅速なスタイリングを可能にすることができる。その後に、髪がデバイスから解放される前に、２００℃を十分に下回る第２の温度まで髪を冷却することは、そうでなければ起こり得る湾曲の喪失を低減させることとなる。
【００５６】
第５の態様を本発明の他の態様と組み合わせる実施形態では、好ましくは、駆動部材／レールが、第１の温度が到達される前に、それらの後退位置またはスタート位置へ逆にされるということにされる。移動している駆動部材によって髪のセクションが変形させられているときに、髪のセクションをより低い温度に維持することは望ましく、髪が、より大きい弾性を有するようになっており、駆動部材から解放されるときに、自然に見えるウェーブへとより容易に弛緩することとなるようになっている。
【００５７】
本発明の第６の態様によれば、髪のセクションの中へウェーブを付与するためのヘア・スタイリング・デバイスの中での使用に適切なドライブ・システムであって、ドライブ・システムは、少なくとも３つの駆動レールを有しており、それぞれの駆動レールは、ガード・レールに隣接して装着されており、駆動レールのそれぞれは、ドライブ・メカニズムを有しており、ドライブ・メカニズムは、スタート位置から限界位置へ、そして、スタート位置へ戻るように、駆動レールをガード・レールに対して移動させるように構成されており、ドライブ・システムは、第２の駆動レールがその限界位置へ移動させられる前に、第１の駆動レールをその限界位置へ移動させ、第３の駆動レールがその限界位置へ移動させられる前に、第２の駆動レールをその限界位置へ移動させるように構成されており、第２の駆動レールのドライブ・メカニズムは、第３の駆動レールのドライブ・メカニズムと同一に構成されており、第１の駆動レールのドライブ・メカニズムは、第１の駆動レールがそのスタート位置から離れるように移動することを始動させるように適合されている始動エレメントを除いて、第２の駆動レールのドライブ・メカニズムと同一に構成されており、単一のドライブ・モーターが、少なくとも第２および第３の駆動レールをそれらのスタート位置からそれらの限界位置へ移動させるように作用する、ドライブ・システムが提供される。
【００５８】
好ましくは、少なくとも第１および第２の駆動レールは、それぞれのラッチ・メカニズムによって、それらの限界位置に一時的に固定可能である。そのような配置では、ドライブ・システムは、ラッチ・リリース・メカニズムを組み込み、それによって、第１および第２の駆動レールは、それらの限界位置からそれらのスタート位置へ移動するように解放される。
【００５９】
いくつかの実施形態では、第３の駆動レールは、その限界位置に一時的に固定可能ではない。好ましくは、第３の駆動レールのその限界位置に向けての移動は、第１および第２の駆動レールのためのラッチ・リリース・メカニズムを作動させる。そのような配置では、第３の駆動レールがその限界位置に接近するときに、それが第１および第２の駆動レールを解放し、駆動レールのすべてが（好ましくは、同時に）それらのスタート位置に移動して戻され得るように、ドライブ・システムが構成されている。
【００６０】
代替的な実施形態では、ラッチ・リリース・メカニズムは、ラッチ・メカニズムに直接的に作用する１つもしくは複数のソレノイド（たとえば）、または、ラッチ・リリース・カムによってラッチ・メカニズムに間接的に作用する第２のモーターを含むことが可能である。
【００６１】
望ましくは、ドライブ・システムは、駆動レールのそれぞれをそれらのスタート位置に一時的に固定するための手段を有している。好ましくは、それぞれのドライブ・メカニズムは、その駆動レールをスタート位置に一時的に固定するための第１のラッチング・エレメントと、その駆動レールを限界位置に一時的に固定するための第２のラッチング・エレメントとを有している。
【００６２】
始動エレメントは、第１の駆動レールをそのスタート位置から離れるように駆動するように構成されたソレノイドなどであることが可能である。代替的に、始動エレメントは、第１の駆動レールの一部であることが可能であり、それは、単一のドライブ・モーターによって駆動され、それによって、単一のドライブ・モーターは、駆動レールのすべてをそれらのスタート位置からそれらの限界位置へ移動させるように作用する。代替的に、繰り返しになるが、始動エレメントは、第１の駆動レールを（たとえば、始動カムによって）間接的に移動させるように作用する別個のモーターによって駆動され得る。
【００６３】
望ましくは、第１の駆動レールのドライブ・メカニズムは、第２の駆動レールのドライブ・メカニズムと相互作用しており、それによって、第１の駆動レールの移動は、第２の駆動レールの移動を始動させ、第３のおよび後に続く駆動レールに関して、以下同様である。好ましくは、第２の駆動レールの移動は、第１の駆動レールがその限界位置に接近するときに始動させられ、第３のおよび後に続く駆動レールに関して、以下同様である。
【００６４】
好ましくは、ドライブ・メカニズムのそれぞれは、ガード・レールに対して適切な位置に固定されているピニオンと、駆動レールのためのラックとを有している。望ましくは、少なくとも第２および第３の駆動レールのためのドライブ・メカニズムのピニオンは、駆動レールがそのスタート位置におよびその限界位置にあるときに、それぞれのラックに係合しておらず、それによって、ピニオンの回転は、それらの位置において第２および第３の駆動レールの移動を引き起こさない。したがって、それぞれのラックをそのスタート位置からピニオンと係合した状態へ移動させるために、第２および第３の駆動レールの何らかの（始動）移動が必要とされる。上記に示されているように、好ましくは、第１の駆動レールの移動は、第２の駆動レールの移動を始動させ、第２の駆動レールのその後の移動は、第３の駆動レールの移動を始動させる（後続の駆動レールに関して、以下同様である）ということにされる。
【００６５】
好ましくは、第２の駆動レールの移動は、単に第１の駆動レールがその限界位置に到達する直前に始動させられる（そして、第３のおよびその後の駆動レールに関して同様である）。したがって、第１および第２の駆動レールの移動の中にいくらかの重なりが存在している（そして、同様に、第２および第３の駆動レールの移動の中にいくらかの重なりが存在している）が、その重なりは小さくなっており、髪のセクションの中の張力が最小化されるようになっている。とりわけ、重なりが十分に小さく、それにより、第３の駆動レールがそのスタート位置から移動する前に、第１の駆動レールがその限界位置に到達する（そして、その限界位置に一時的に固定される）ということが望まれる。
【００６６】
本出願は、ヘア・スタイリング・デバイスのための２つの代替的なドライブ・システムを説明している。両方のドライブ・システムにおいて、第１の駆動レールの始動移動に続いて、単一のドライブ・モーターが、駆動レールのすべてをそれらの限界位置へシーケンシャルに移動させる。駆動レールのすべては、（随意的な）ラッチ・メカニズムによって、それらの限界位置に一時的に固定される。説明されているドライブ・システムでは、第２のモーターが、第１の駆動レールの始動エレメントを駆動するために設けられており、第２のモーターは、また、ラッチ・リリース・メカニズムを作動させ、駆動レールがそれらのスタート位置へ駆動されて戻され得るようになっている。モーターの数を最小化することは、ヘア・スタイリング・デバイスの重量およびコストを低減させることが可能である。しかし、他の態様による本発明は、これらの特定のドライブ・システムの使用に限定されず、また、ドライブ・システムの中で使用されているモーターの数によっても限定されない。
【００６７】
本発明のそれぞれの態様に関する好適なおよび望ましい特徴は、本発明のそれらの他の態様（それらは、それと互換性がある）と組み合わせられるかまたは共有され得る。
【００６８】
ここで、本発明が、例として、添付の図面を参照して、より詳細に説明されることとなる。
【図面の簡単な説明】
【００６９】
【図１】その開いた条件における、本発明によるヘア・スタイリング・デバイスの第１の実施形態の斜視図である。
【図２】図１に示されているデバイスの形成レールおよび駆動レールを表す図である。
【図３】図１のデバイスの動作を説明する目的のための、駆動レールおよび形成レールに関する動作のシーケンスを表す図である。
【図４】図１のデバイスの動作を説明する目的のための、駆動レールおよび形成レールに関する動作のシーケンスを表す図である。
【図５】図１のデバイスの動作を説明する目的のための、駆動レールおよび形成レールに関する動作のシーケンスを表す図である。
【図６】そのスタート位置またはレスト位置における、図１のデバイスのドライブ・メカニズムのうちの１つの第１の実施形態の側面図である。
【図７】図６のドライブ・メカニズムの反対側の側面図である。
【図８】駆動レールのうちの１つがその限界位置にあり、駆動レールのうちの別のものが第１の方向へのその移動の途中にある状態の、図１のデバイスの側面図である。
【図９】駆動レールのすべてがそれらの限界位置にある状態の図８のような図である。
【図１０】駆動レールのすべてがそれらの後退位置に移動して戻された状態の図９のような図である。
【図１１】ドライブ・メカニズムの第２の実施形態の図６のものと同様の図である。
【図１２】駆動レールがその限界位置にある状態の図１１のドライブ・メカニズムを示す図である。
【図１３】ドライブ・メカニズムの第２の実施形態のラッチを示す図である。
【図１４】反対側からの図１１のドライブ・メカニズムの第２の実施形態の図である。
【図１５】反対側からの図１２のドライブ・メカニズムの第２の実施形態の図である。
【図１６】その開いた条件における、本発明によるヘア・スタイリング・デバイスの第２の実施形態の斜視図である。
【図１７】駆動レールのすべてがそれらのスタート位置にある状態の、ヘア・スタイリング・デバイスの第２の実施形態のドライブ・メカニズムを示す図である。
【図１８】第１の駆動レールがその移動の範囲の途中にある状態の図１７のような図である。
【発明を実施するための形態】
【００７０】
ヘア・スタイリング・デバイス１０は、一体ハンドル１４を備えた本体部１２を含む。閉鎖パーツまたは蓋部１６が、本体部１２に接続されている。この実施形態では、閉鎖パーツ１６は、本体部１２に枢動可能に装着されているが、他の実施形態では、閉鎖パーツのための他の装着手段が使用される。また、この実施形態では閉鎖パーツ１６は、デバイス１０の動作のシーケンスの一部として、自動的に、すなわち、モーター（図示せず）によって移動させられる。別の実施形態では、閉鎖パーツは、バネによってその開位置へ付勢されており、ユーザーによって手動で閉じられ、閉鎖パーツは、ラッチによってその閉位置に保持され、ラッチは、スタイリング動作の終わりに自動的に解放される。
【００７１】
本体部１２は、（図６〜図１０により良好に見られるように）複数の可動駆動部材または駆動レール２０を担持している。この実施形態では、６つの駆動レール２０が存在しているが、他の実施形態では、所望に応じて、より多くのまたはより少ない駆動レールが存在している。駆動レール２０のそれぞれは、（図６および図８〜図１０により良好に見られるように）一連の上昇した駆動エレメントまたはペグ２２を有している。駆動レール２０は、図１において、それらのスタート位置またはレスト位置にあり、ペグ２２の先端部だけが、見ることができる。
【００７２】
閉鎖パーツ１６は、複数の形成部材または形成レール２４を担持している。この実施形態では、７つの形成レール２４が存在しており、すなわち、駆動レール２０の数よりも１つ多い形成レール２４が存在している。形成レール２４のそれぞれは、一連の上昇した形成エレメントまたはペグ２６を有しており、そのうちのいくつかが、図８〜図１０により良好に見られる。
【００７３】
固定されたガード・レール２８が、駆動レール２０のそれぞれの各側に位置付けされている。ガード・レール２８は、単に駆動レール２０の厚さよりもわずかに大きい距離だけ分離されており、駆動レール２０が、髪がガード・レール２８と駆動レール２０との間（そこには髪が捕捉され得る）に進入する可能性を最小化しながら、近隣のガード・レール２８同士の間をスライドすることができるようになっている。図２の表現図に示されているように、形成レール２４は、ガード・レール２８と整合させられており、駆動レール２０が形成レール２４からオフセットされているようになっている。図２の表現図にも示されているように、形成レール２４は、ガード・レール２８よりも著しく狭くなっており、下記に説明されているように、駆動レールが形成レール２４同士の間の髪受け入れ領域３８の中へ移動させられたときに、髪のセクション３６が駆動レール２０と形成レール２４との間で容易にスライドすることができるようになっている。
【００７４】
本体部１２は、エンド・ガイド３０および２つのサイド・ガイド３２を有している。閉鎖パーツ１６がその閉位置へ移動させられている（枢動させられている）ときには、小さい髪進入ギャップだけがデバイス１０のそれぞれの側部に残っており、閉鎖パーツ１６がギャップの上部を画定し、本体部１２がギャップの底部を画定し、ガイド３０および３２がギャップの対向する側部を画定した状態になっているということが理解されることとなる。したがって、閉鎖パネル１６は、チャンバーを大きく囲むことが可能であり、駆動レール２２および形成レール２４が、チャンバーの中に位置付けされており、髪のセクションが、下記に説明されているように、チャンバーの中でスタイリングされ得る。髪進入ギャップは、髪がそれを通過することを許容するのに十分に大きくなっており、閉鎖パーツ１６は、使用の間に、髪の任意のパーツを本体部１２の任意のパーツに接触してクランプしない。
【００７５】
スタイリングされることとなる髪のセクション３６は、おおよそそれがデバイス１０の中へ導入されることとなる配向で、図１に概略的に示されている。したがって、髪３６の選ばれたセクションは、示されているように、デバイスを横切って配向されており、本体部１２と閉鎖パーツ１６との間に、また、対向するガイド３０と３２との間に位置決めされている。ガイド３０および３２は、髪のセクション３６をガイド同士の間に正しく位置決めする際にユーザーを支援するようにテーパーが付けられているということが見られることとなる。
【００７６】
デバイスは、ユーザーがガイド３０とガイド３２との間のギャップを越えて髪のセクション３６を不注意に位置決めすることを防止するために、国際公開第２０１３／１８６５４７号に説明されているものなどのような、可動ガイド・パーツを有することが可能である（下記に説明されている第２の実施形態２１０の可動ガイド・パーツも参照されたい）。
【００７７】
図１に示されている髪のセクション３６は、「リボン」の形態になっており、すなわち、それは、その深さｄよりもはるかに大きい幅ｗを有している。髪のそのようなセクションは、デバイス１０の効用を最大化するが、デバイスは、望まれる場合には、髪の「束」、すなわち、同様の深さおよび幅を有するセクション（または、恐らく、寸法ｗよりもいくらか小さい直径を有する近似的な円形である）をスタイリングするために使用され得る。ユーザーが、髪の選ばれたセクションを、図１に示されているようなリボン形態へと広げることが望ましいが、髪の束は、いずれにしても、閉鎖パーツ１６がその閉位置へ移動させられるときに、レール２０、２４に沿って広がるように駆動されることとなり、デバイス１０に提示される髪のセクションの構成の中のかなりの裁量がユーザーに利用可能であるようになっているということが理解されることとなる。
【００７８】
図２は、デバイス１０の一部を通る断面を表しており、閉鎖パーツ１６がその閉位置へ移動させられた条件において、７つの形成レール２４および６つの駆動レール２０のアレイを示すように提供されている。図２は、図３〜図５の表現図から区別するために、ペグ２２、２６を示しておらず、すなわち、図２は、駆動レール２０および形成レール２４に関して、隣接するペグ同士の間の断面を表している。
【００７９】
図２は、図１にも見られるように、駆動レール２０のスタート位置を表している。その位置において、ペグ２２の先端部は、ガード・レール２８の上部表面の近くに存在しており、近隣のペグ２２同士の間に存在している駆動レール２０の線形縁部４０（そして、その線形縁部は、図２に示されており、また、図３〜図５にも示されている）は、ガード・レール２８の上部表面の下方にいくらかの距離に位置付けされている。ガード・レール２８と駆動レール２０との間の間隔は、明確化のために、図２では誇張されており、そして、上記に述べられているように、実際には、それぞれの駆動レール２０は、近隣のガード・レール２８同士の間に緊密な滑り嵌めしたもの（ｃｌｏｓｅ  ｓｌｉｄｉｎｇ  ｆｉｔ）であり、髪が駆動レールとガード・レールとの間に進入することとなる可能性を最小化するようになっている。
【００８０】
また、図２は、主に、図３〜図５に示されている丸みを帯びたペグから区別するために、９０度の角部になっているものとして、駆動レール２０および形成レール２４を示している。実際には、駆動レール２０および形成レール２４の角部は、好ましくは、丸みを帯びていることとなり、髪がウェーブへと変形させられるときに、髪が鋭い角部の周りに強制的に曲げられることを回避するようになっている。
【００８１】
形成レール２４のペグ２６は図２に示されていないが、ペグ２６は、（描かれているように、下向きに）ガード・レール２８に向けて突き出ているということが理解されることとなる。閉鎖パーツ１６がその閉位置にあるときに、ペグ２６の先端部とガード・レール２８との間に小さいギャップが存在するということにされ得、これは、髪が捕捉されることとなる可能性を最小化するためにペグ２６の先端部が丸みを帯びているということにもかかわらず、髪がペグとガード・レールとの間に不注意に捕捉され得る可能性を回避するために好適である。
【００８２】
また、駆動レール２０のペグ２２は、図２に示されておらず、ペグ２２は、（描かれているように、上向きに）隣接する形成レール２４同士の間の髪受け入れ領域３８に向けて突き出ているということが理解されることとなる。好ましくは、閉鎖パーツ１６がその閉位置にあるときに、ペグ２２がペグ２６とわずかに重なり合っており、ペグの両方のセットが髪３６の所定の長さに係合するということにされる。これは、閉鎖パーツ１６が閉じられるときに、髪３６のリボンまたはセクションを別個のより小さいセクション（たとえば、図３に表されている別個のより小さいセクション３６ａなど）に分離する効果を有している。駆動部材２０が形成部材２４と整合していないので、重なり合っているペグ同士の間に髪がクランプされるかまたは捕捉される危険性は存在していない。
【００８３】
国際公開第２０１４／１２２４４２号に説明されているものと同じ様式で、すなわち、図２に描かれているように左から右へページを横切って、髪のセクション３６が駆動レール２０と形成レール２４との間に置かれるということが理解されることとなる。デバイスが動作されているときには、駆動レール２０は、第１の方向Ｄ１に、すなわち、図２に描かれているように上向きに移動し、それぞれの駆動レール２０が、髪受け入れチャネル３８の中へ移動し、髪のセクション３６を、ウェーブ状の形態をとるように、それぞれの髪受け入れチャネル３８の中へ駆動する。
【００８４】
図３〜図５は、単一の駆動レール２０の一部、および、単一の形成レール２４の対応する一部を、側面図で、すなわち、図２の端面図に対して垂直に表している。とりわけ、図３〜図５に関する視線の方向は、図２の右手側からであり、髪のセクション３６の中の個々の髪の所定の長さに実質的に沿って見ている。
【００８５】
図３は、駆動レール２０のスタート位置を表している。図４は、駆動レール２０が第１の方向Ｄ１へのその移動を完了した後の中間位置を表している。図５は、駆動レール２０が第２の方向Ｄ２へのその移動を完了した後の限界位置を表している。
【００８６】
理解しやすくするために、図３は、スタート位置において重なり合っていないものとして、ペグ２２および２６を示しているが、上記に説明されているように、それらが実際にそのように行うことが好ましい。上記に説明されているように、重なり合っているペグ２２、２６は、閉鎖エレメント１６がその閉位置へ移動させられるときに、髪のセクション３６を複数のより小さいセクション３６ａに分離する効果を有している。図３ではペグ２２、２６が重なり合っていないものとして示されているにもかかわらず、結果として生じる髪のより小さいセクション３６ａのうちの１つが、その図の中に表されている。髪のセクション３６は、実際には、近隣のペグ２２、２６の対の間でいくつかのより小さいセクション３６ａに分離されることとなるということ、および、より小さいセクション３６ａが、一般的に、スタイリング動作の間にペグ２２、２６によって分離された状態に維持されるということが理解されることとなる。デバイスの動作を説明するために、髪受け入れ領域３８のうちの１つの中の髪のより小さいセクション３６ａのうちの１つの中のウェーブの形成を説明することだけが必要であり、他の髪受け入れ領域の中の（および、髪の他のより小さいセクションの中の）ウェーブの形成は同様であるということが理解される。
【００８７】
駆動レール２０の移動の第１の段階は、図４に描かれているような位置へ第１の方向Ｄ１に上向きに（および、線形に）なっている。移動の第１の段階の間に、駆動レール２０は、描かれているように形成部材２４の後ろにある整合させられた髪受け入れチャネル３８に進入する；駆動レール２０のペグ２２は、形成部材２４のペグ２６を通過して越えて移動する。
【００８８】
それぞれの近隣のペグ２２の対の間に、駆動部材２０は、線形縁部４０を有しており、それぞれの近隣のペグ２６の対の間に、形成部材２４は、線形縁部４２を有している。移動の第１の段階の間に、線形縁部４０は、線形縁部４２を通過して越えて移動する。
【００８９】
近隣のペグ２２、２６のそれぞれの対の間の髪の別個のセクション３６ａは、したがって、強制的に１次元のウェーブ形態にされる。国際公開第２０１４／１２２４４２号に説明されている動作と同様に、髪のより小さいセクション３６ａの部分４４ａは、形成レール２４の線形縁部４２の下を通り、髪のより小さいセクション３６ａの部分４４ｂは、近隣の駆動レール２０の線形縁部４０の上方を通る。図４は、髪のより小さいセクション３６ａが、それがウェーブへと変形させられるときに、円形の断面形状からより平坦化された断面形状へと押圧されているということを示している（実際には、髪のより小さいセクション３６ａの実際の形状は、より複雑になる傾向があることとなるが）。
【００９０】
また、駆動レール２０の移動の第２の段階は、線形になっており、また、図５に表されているような限界位置へ、第２の方向Ｄ２に、描かれているように右になっている。この移動の段階の間に、駆動レール２０は、近隣の形成部材２４同士の間で、その髪受け入れチャネル３８に沿って移動する。したがって、髪の別個のより小さいセクション３６ａは、図５に表されているようにさらに変形させられる。とりわけ、髪のより小さいセクション３６ａは、第２の方向Ｄ２にウェーブ形態へとさらに変形させられ、部分４４ａは、そのペグ２６の側部４６ａとの係合によって拘束された状態になっており、一方、部分４４ｃは、そのペグ２２ａの側部４６ｂとの係合によって方向Ｄ２に駆動されている。
【００９１】
髪の別個のより小さいセクション３６ａのうちの１つだけが図３〜図５に表されているが、同様の髪のより小さいセクションが、駆動レール２０および形成レール２４に沿って、他のペグ２２、２６（そして、恐らく、ペグ２２、２６のすべて）の間に位置付けされており、ペグ２２、２６は、それによって、髪の別個のより小さいセクションのそれぞれが実質的に同じ程度に変形させられることを保証し、髪３６のリボン全体に関して均一なウェーブを作り出すということが理解されることとなる。変形は、別個のより小さいセクション３６ａの中の個々の髪の数にかかわらず実質的に均一になっており、ユーザーは、髪のセクション３６が一貫した深さｄまたは幅ｗを有することを保証する必要もなく、デバイスによって連続的にスタイリングされる髪のセクションが一貫したサイズのものであるということを保証する必要もないようになっているということが理解されることとなる。
【００９２】
髪のセクション３６の中に作り出されるウェーブのそれぞれの中の髪の長さは、主に、図５の限界位置における部分４４ａと部分４４ｃとの間の実質的に線形の部分４４ｄの長さによって決定される（それぞれのウェーブの中の髪の長さは、実質的に線形の部分４４ｄの長さのおおよそ２倍になっている）。実質的に線形の部分４４ｄの長さは、主として、形成部材２０が第２の方向Ｄ２に移動する距離によって決定される。図２の表現図では、形成部材２０は、２つの隣接するペグ２２同士の間の間隔よりもわずかに大きい距離だけ、第２の方向Ｄ２に移動しているが、実際には、形成部材２０は、たとえば、近隣のペグ同士の間の間隔のおおよそ５倍または６倍の距離だけ、図２に表されているよりも著しく遠くに移動することとなる。方向Ｄ２への駆動部材２０の移動は、デバイスの商業的な実施形態において、方向Ｄ１への移動をはるかに超えることとなるということが予期される。
【００９３】
したがって、髪のセクション３６は、最初に、より小さいセクション３６ａへと分離され、髪のより小さいセクションは、次いで、２つの異なる方向に駆動されてウェーブ形態になる。
【００９４】
図３〜図５は、２つの垂直の方向Ｄ１およびＤ２に移動するものとして駆動レール２０を表しているが、これは必要ではないということが理解されることとなる。第２の方向Ｄ２に、すなわち、髪受け入れチャネル３８に沿って（下記のドライブ・メカニズムにおいて説明されているように）、駆動レール２０を移動させることは、機械的に単純であるが、図４の垂直の方向Ｄ１に駆動レール２０を移動させることは、機械的により困難である。その代わりに、したがって、下記に説明されているドライブ・メカニズムと同様に、駆動レール２０は、好ましくは、そのスタート位置からその中間位置へ鋭角αで移動する。角度付きの移動にもかかわらず、移動のその第１の段階の間の駆動部材２０は、それが髪受け入れチャネル３８の中へ移動する垂直の方向と整合させられた成分を有しており、その移動の成分は、必要に応じて、髪のセクションが髪受け入れチャネルの中へ押し込まれることを引き起こす。また、ペグ２２、２６は、駆動部材２０の移動の角度付きの第１の段階にかかわらず、髪のより小さいセクション３６ａの分離を維持することが可能である。
【００９５】
本発明のいくつかの態様による実施形態では、駆動部材は、たとえば方向αに、移動の単一の段階を有することが可能であるということが認識されることとなる。しかし、それは、好適ではない。その理由は、より大きい振幅の（そして、より魅力的な外観を伴う）ウェーブが、２段階移動によって生成され得る（そして、第２の方向Ｄ２への比較的に大きい移動を伴う）ということが見出されたからである。
【００９６】
初期には、髪のセクション３６の合計長さの比較的に小さい割合だけが、そのスタート位置において、デバイス１０の中に存在するということが図１から理解されることとなる。移動の第１の段階の間に、図２に示されている比較的に線形の髪は、ウェーブ形態へと変形させられ、それは、髪のセクション３６のより多くの部分をデバイスの中へ引き込む効果を有している。髪のセクション３６のさらに多くの部分（または、すべて）が、比較的に長い実質的に線形の部分４４ｄによって表されているように、移動の第２の段階の間に、デバイスの中へ引き込まれる。国際公開第２０１４／１２２４４２号に説明されているように、ユーザーの頭皮に最も近い駆動部材２０が最初に移動する状態の、駆動部材２０のシーケンシャルな移動は、髪のセクション３６がデバイス１０の中へ（次第に）引き込まれるときに、髪のセクション３６に印加される張力を最小化する。
【００９７】
加えて、第１の駆動部材またはレール（すなわち、ユーザーの頭皮に最も近いもの）は、移動のその第１の段階および第２の段階の両方の間に比較的にゆっくりと移動するということにされ得る。これは、髪にかけられる張力を最小化し、ユーザーの頭皮に及ぼされる力を低減させることとなる。後続の駆動部材は、より迅速に移動することが可能であり、ユーザーの頭皮からより遠くの髪のセクションの中の張力は、ユーザーの頭皮に及ぼされにくくなることとなるということが認識される。
【００９８】
髪のセクション３６は、理想的には、熱の印加によって、そのウェーブ形態においてセットされる。髪のセクションは、駆動部材２０が図５に表されているようなそれらの限界位置にある状態で、セットされ得るということが理解されることとなる。しかし、それは好適ではない。その理由は、部分４４ｄは、その限界位置において実質的に線形になっているからである。駆動部材２０がそれらの限界位置に保持される場合には、髪のセクション３６がいくらか弛緩し得るということにかかわらず、任意の弛緩は、少量であることとなり、制御されることができない。これは、デバイスが、比較的に鋭い曲げ部によって分離された実質的に線形のセクションを備えた比較的に鋭いウェーブを作り出すこととなるという結果を有する。髪のより小さいセクション３６ａがより自然な曲線へと弛緩することを保証することによって、審美的により魅力的なウェーブが生成され得る。
【００９９】
これは、ウェーブがセットされる前に、駆動レール２０をそれらの限界位置から離れるように（すなわち、図５の中で見たときに左に向けて）移動させることによって、本発明によって実現される。デバイスは、図１０に関連して下記に説明されているものなどのような、所定の後退位置を有することが可能であり、または、駆動レール２０は、所望に応じて、ウェーブがセットされる前に、それらのスタート位置へ移動して戻ることが可能である。
【０１００】
第２の方向Ｄ２は、髪変形方向であると考えられ得る。その理由は、髪のセクション３６の変形のほとんどがその方向に起こるからである。したがって、第２の方向Ｄ２への駆動レール２０の移動は、髪変形方向への移動に対応している。駆動部材２０が髪変形方向に移動するにつれて、１次的なペグ２２ａの側部４６ｂが、部分４４ｃに係合し、その部分を限界位置へ髪変形方向に駆動するということが理解されることとなる。
【０１０１】
その後に、形成部材２０は、逆へ駆動され、すなわち、Ｄ２とは反対の方向に移動するように駆動される。この逆移動の間に、近隣の２次的なペグ２２ｂの側部４６ｃが、髪のより小さいセクション３６ａの部分４４ｃに係合することとなる。髪のセクション３６は、それによって、デバイス１０から外へ押し出されるのではなく、むしろ、部分４４ｃは、髪受け入れチャネル３８の中に移動するように駆動され、たとえば、線形縁部４０から離れるように２次的なペグ２２ｂに乗り上がることが引き起こされる。ペグ２２ａ、ｂは、Ｄ２とは反対の方向に沿った移動の完全な逆転を収容するのに十分に長くなっているということにされ得、または、髪受け入れチャネル３８は、ペグ２２ａ、ｂの長さよりもいくらか深くなっており、駆動部材２０が描かれているように左へ移動するときに、部分４４ｃが２次的なペグ２２ｂの上部を乗り越えることができるようになっているということにされ得る。いずれにしても、逆移動は十分になっており、髪のより小さいセクション３６ａがもはや１次的なペグ２２ａからの任意の張力下にないようになっており、理想的には、２次的なペグ２２ｂによって、拘束されていないおよびより弛緩した位置に向けて積極的に押圧されている。髪の部分４４ａ、４４ｃ、および４４ｄは、それらの弾性のいくらかまたはすべてを保っており、髪受け入れチャネル３８の制約にかかわらず、主に髪の拘束されていない部分が、髪受け入れチャネル３８の中で入手可能な最も滑らかなカールを採用するということにされる。実際には、線形のセクション４２の下を通る部分４４ａだけが、髪のより小さいセクション３６ａに沿って、適切な位置に相対的に固定されており、髪のより小さいセクション３６ａの残りの部分が髪受け入れチャネル３８の中に一連の比較的に滑らかなループを形成するという結果を伴う。髪の複数のより小さいセクション３６ａが、髪受け入れチャネル３８のそれぞれの中に存在しているので（そのすべては、同様のウェーブ形成動作を経験している）、実際には、より小さいセクション３６ａのうちの１つの髪のループは、髪受け入れチャネルのそれぞれの中の他のより小さいセクションのループの上に横たわっている。
【０１０２】
部分４４ｃ、ｄの弛緩、および、結果として生じるループのそれぞれの形態は、髪のセクション３６の弾性に依存しており、したがって、髪のセクション３６がこの動作の髪変形段階の間に比較的に冷温になっている場合には強化される。それによって、髪は、理想的には、駆動部材２０が後退（または、スタート）位置へ逆に戻された後のみに、下記に説明されているように熱の印加によってそのウェーブ状の形態へとセットされるということにされる。
【０１０３】
今までデバイス１０の動作の原理が説明されてきたので、特定の実施形態が、より詳細に説明されることとなる。
【０１０４】
図６は、そのスタート位置における１つの駆動レール２０、および、近隣のガード・レール２８を示している。長手方向のチャネル５０が、ガード・レール２８の中に形成されており、そのチャネルは、ガイド部材５２の裏側部に取り付けられているボス（見えない）、および、ガイド・ペグ５４の裏側部に取り付けられているボス（見えない）を位置付けしている。それぞれのボスおよびチャネル５０は、ガイド部材５２およびガイド・ペグ５４を、ガード・レール２８に沿った（第２の方向Ｄ２に対して平行の）長手方向の移動に拘束している。
【０１０５】
形成レール２０は、２つの傾斜したガイド・チャネル５６を有しており、ガイド・チャネル５６は、ガイド部材５２およびガイド・ペグ５４のそれぞれのボスを含有している。ガイド・チャネル５６は、第２の方向Ｄ２に対して鋭角βで整合させられている。
【０１０６】
図７に見られるようなスライド部材またはラック６０が、ボスのそれぞれの他の端部に接続されている。したがって、ガイド部材５２およびガイド・ペグ５４、ならびにラック６０は、長手方向のチャネル５０に沿って一緒に移動するように固定されており、駆動レール２０およびガード・レール２８がその間に挟まれた状態になっている。
【０１０７】
図６および図７は、反対側から見た、単一のドライブ・メカニズム、すなわち、単一の駆動レール２０および単一のガード・レール２８を示している。好適なヘア・スタイリング・デバイスでは、複数の（同一の）駆動レール２０および複数の（同一の）ガード・レール２８が存在しており、それぞれの駆動レール２０が近隣のガード・レール２８同士の間に位置付けされた状態になっているということが理解されることとなる。それぞれの駆動レールのためのドライブ・メカニズムは、下記に説明されているように、図６および図７のものと同一になっていることが可能である。
【０１０８】
組み立てられたヘア・スタイリング・デバイス１０では、それぞれのドライブ・メカニズムは、詳細に下記に説明されているように、その近隣のものと相互作用し、駆動レール２０の相互接続されたシーケンシャルな移動を作り出す。とりわけ、図７に示されている２次的なピニオン６２が、近隣のドライブ・メカニズムのガイド部材５２の３次的なペグ５８と同じ平面の中に存在している（そして、それに係合することが可能である）。同様に、ラッチ６４は、近隣のドライブ・メカニズムの駆動レール２０のブロック６６と同じ平面の中に存在している（そして、それに係合することが可能である）。
【０１０９】
ラック６０は、複数の１次的なペグ６８を担持しており、複数の１次的なペグ６８は、１次的なピニオン７０と整合させられており、１次的なピニオン７０に係合することが可能であるということが見られることとなる。１次的なピニオン７０は、メイン・ドライブ・ピニオンであり、また、本体部１２の中のメイン・ドライブ・モーター（図示せず）によって回転するように駆動される。
【０１１０】
また、ラック６０は、複数の２次的なペグ７２を担持しており、複数の２次的なペグ７２は、２次的なピニオン６２と整合させられており、２次的なピニオン６２に係合することが可能である。２次的なピニオン６２は、それがモーターによって駆動されるのではなく、その代わりに、下記に説明されているように、上述のラック６０の２次的なペグ７２によって、または、近隣のドライブ・メカニズムのガイド部材５２の３次的なペグ５８によって、回転するように駆動されるという点において、パッシブである。
【０１１１】
ラッチ６４は、ガード・レール２８に装着されており、図７に見られるように、反時計回りに回転するようにバネ付勢されている。ラッチ６４は、カム７６によって係合されている。１次的なピニオン７０、２次的なピニオン６２、ラッチ６４、およびカム７６は、（固定された）ガード・レール２８に装着されており、コンポーネントの同様のセットが、ドライブ・メカニズムのそれぞれに提供されている。
【０１１２】
単一のメイン・ドライブ・モーターは、一緒に回転するように、ドライブ・メカニズムのそれぞれの１次的なピニオン７０を駆動する。単一の第２のドライブ・モーター（図示せず）は、一緒に回転するように、ドライブ・メカニズムのそれぞれのカム７６を駆動する。特定のヘア・スタイリング・デバイスの中で使用されているドライブ・メカニズムの数にかかわらず、下記に詳細に説明されているように、シーケンシャルに移動するように駆動レール２０のすべてを作動させるために、２つのモーターだけが必要とされる。
【０１１３】
重要なことには、カム７６は、１次的なペグ６８と同じ平面の中にない（すなわち、カム７６は、図７の配向において、１次的なペグ６８よりも見る人の近くにある）。したがって、カム７６の本体部は、１次的なペグ６８に係合することなく、または、１次的なペグ６８を移動させることなく、示されている位置から３６０°にわたって回転することが可能である。
【０１１４】
第１の駆動レール２０のカム７６は、その裏表面の上に始動エレメントまたは始動フィンガー（見えない）を有するという点において、他の駆動レールのカムとは異なっている。始動フィンガーは、第１のドライブ・メカニズムの１次的なペグ６８と同じ平面の中へ延在しており、下記に説明されているように、カム７６が回転するときに、１次的なペグ６８に係合するように位置決めされている。したがって、カム７６は、ドライブ・メカニズムのそれぞれのためのラッチ・リリース・カムであり、また、第１のドライブ・メカニズムのための始動メカニズムである。
【０１１５】
ここで、図６および図７に示されているような複数のドライブ・メカニズムを含むヘア・スタイリング・デバイスに関する動作のシーケンスが説明されることとなり、図６および図７に表されているように、駆動レール２０のすべてがそれらのスタート位置またはレスト位置にある位置から開始して説明されることとなる。その位置では、図７に見られるように、１次的なペグ６８は、１次的なピニオン７０に係合していない。
【０１１６】
第１に、カム７６が、第２のドライブ・モーターによって駆動され、図７に見られるように、反時計回り方向に３６０°にわたって回転する。この回転の間に、第１のカム７６によって担持されている始動フィンガーは、第１のラック６０の１次的なペグ６８のうちの１つに係合し、方向Ｄ２にラック６０を押す。他のドライブ・メカニズムのカム７６は始動フィンガーを有していないので、それらの対応する回転は、第２の、第３のラック６０などの移動を引き起こさない。始動フィンガーは、図７に見られるように左へ十分に遠くに（第１の）ラック６０を押し、先頭の１次的なペグ６８が１次的なピニオン７０の歯に係合するようになっている。
【０１１７】
次いで、１次的なピニオン７０は、１次的なペグ６８に係合しながら、図７に見られるように、反時計回りに回転するように駆動される。したがって、第１のラック６０は、方向Ｄ２へより遠くに駆動される。
【０１１８】
ラック６０が方向Ｄ２に移動するにつれて、ガイド部材５２およびガイド・ペグ５４に接続されているボスが、駆動レール２０のそれぞれの角度付きのガイド・チャネル５６に対して移動する。駆動レール２０が中央スロット７８を有しているということ、および、ドライブ・シャフト８０、８２が、１次的なピニオン７０のすべてをメイン・ドライブ・モーターと相互接続し、また、カム７６のすべてを第２のドライブ・モーターと相互接続しており、ドライブ・シャフト８０、８２が中央スロット７８をそれぞれ通過しているということが、図６から見られることとなる。図６の配向で見られるときには、シャフト８２は、駆動レール２０の右方向への移動を制限し、中央スロット７８の角度付きの縁部８４は、ラック６０の長手方向の移動が駆動部材２０の角度付きの（見られるように、上向きの）移動へと変換されることを引き起こす。
【０１１９】
移動のこの第１の段階の間の駆動レール２０の移動の方向Ｄ１は、縁部８４の角度に対応しており、それは、この実施形態では、おおよそ６０°であるということが理解されることとなる。
【０１２０】
中央スロットは、方向Ｄ２と整合させられているエクステンション８６を有している。シャフト８０、８２がエクステンション８６に進入しているときには、駆動レール２０は、単に方向Ｄ２にだけ移動するということが理解されることとなる。
【０１２１】
したがって、駆動レール２０の２段階移動が、中央スロット７８の成形によって引き起こされ、駆動レール２０が所定の経路を辿る状態になっている。その理由は、長手方向のチャネル５０に沿ったラック６０の運動によって駆動レール２０が駆動されるときに、シャフト８０、８２が中央スロット７８のそれぞれの縁部に沿って移動するからである。とりわけ、縁部８４が線形になっているので、および、エクステンション８６が線形になっているので、駆動部材２０の移動の経路は、この実施形態では、その移動の第１の段階および第２の段階の両方の間に線形になっている。
【０１２２】
１次的なピニオン７０は、１次的なペグ６８に接触して駆動することによって、方向Ｄ２にラック６０を駆動するように回転し続ける。この移動の間に、２次的なペグ７２が駆動され、２次的なピニオン６２を通過する。１次的なペグ６８よりも少ない２次的なペグ７２が存在しているので、ラック６０の継続的移動は、ラック６０が方向Ｄ２へのその移動の終わりに到達する前に、２次的なペグが２次的なピニオン６２から解除することを引き起こす。
【０１２３】
第１の駆動メカニズムのラック６０が方向Ｄ２へのその移動の終わりに近づくときに、そのラックに接続されているガイド部材５２の３次的なペグ５８は、近隣の（第２の）ドライブ・メカニズムの２次的なピニオン６２に係合することとなる。第２の駆動レール２０は、初期には、図６のものと同様に、そのスタート位置にあり、その２次的なペグ７２がその２次的なピニオン６２とすでに係合されているようになっている。結果的に、１次的なピニオン７０が第１のラック６０を前方に移動させ続けるときに、第２のドライブ・メカニズムの２次的なピニオン６２の回転は、第２の駆動レール２０の移動を始動させる。第１および第２のラック６０は、それらが両方とも第２のドライブ・メカニズムの２次的なピニオン６２に係合していることに起因して、一時的に方向Ｄ２に同時に駆動される。
【０１２４】
第１の駆動レール２０がその限界位置に到達する直前に、その１次的なペグ６８がその１次的なピニオン７０から解除される。しかし、第２のラック６０が、次いで、前方に移動し、その１次的なピニオン７０によって駆動され、第２のラックの２次的なペグ７２が、その２次的なピニオン６２を回転させ続ける。第２のドライブ・メカニズムの２次的なピニオン６２の回転は、第１のラック６０の３次的なペグ５８を駆動し、その１次的なピニオン７０からのその１次的なペグ６８の解除にかかわらず、第１のラック６０がその限界位置へ移動し続けることを引き起こす。
【０１２５】
第１の駆動レール２０は、このポイントにおいて、中央スロット７８によって決定される経路を辿り、その限界位置に到着する。前方への移動の最終的な段階の間に、第１の駆動レール２０のブロック６６は、第２のドライブ・メカニズムのバネ付勢されたラッチ６４を通過する。ラッチ６４は、第１の駆動レール２０をその限界位置に一時的に固定する。
【０１２６】
第２のラック６０が方向Ｄ２に移動するときに、その１次的なペグ６８は、その１次的なピニオン７０と係合し、１次的なピニオン７０の回転は、第１の駆動レールのものと同様の経路に沿って移動するように第２のラック６０を駆動し、結果的に、第２の駆動レール２０を駆動する。第１の駆動レール２０ａの限界位置は、図８に表されている。また、この図は、第２の駆動レール２０ｂが第１の方向Ｄ１へのその移動の第１の段階を経験していることを示している。
【０１２７】
そのシーケンスは、駆動レール２０のすべてをシーケンシャルに移動させ続け、すべての駆動レールがそれらの限界位置にラッチ係合されるまで、１つの駆動レールから次のものへ同じ相互作用を繰り返す。図９は、デバイスの動作の中の後続の段階を示しており、そこでは、駆動レール２０のすべてが、それらの限界位置に到達している。最も近い駆動レール２０だけが、図９の中に見ることができる。その理由は、他の駆動レールが、同一に形成されており、その後ろに完全に整合させられているからである。髪のセクション３６の最大変形は、駆動レール２０のすべてがそれらの限界位置にあるときに起こるということが理解されることとなる。
【０１２８】
望まれる場合には、駆動レール２０は、すべて、ヘア・スタイリング動作の間に、それらの限界位置にラッチ係合されたままになっていることが可能であり、すなわち、駆動レール２０は、ウェーブがセットされるまで、そこに保たれ得る。好ましくは、しかし、最終的な駆動レールがその限界位置へとラッチ係合されたときには、動作のシーケンスが継続し、即座に駆動レールのすべてを一緒に逆にし、それによって、髪の所定の長さの中の張力を低減させ、より自然なウェーブの形成を許容する。この実施形態では、駆動レール２０のすべてが、第２の（または、髪変形）方向Ｄ２の反対の方向に、図１０に示されているような後退位置へ、一緒に移動して戻る。張力が解放されると、髪の別個のより小さいセクション３６ａが、上記に説明されているように、髪受け入れ領域３８の中で、より自然に見えるウェーブへと弛緩する。
【０１２９】
駆動レールの移動を逆にするために、第２のドライブ・モーターは、図７に見られるように、反時計回り方向に一緒に回転するように、カム７６のすべてを駆動し、すべてのラッチ６４をそれらのそれぞれのブロック６６から同時に解放する。これは、駆動レール２０のすべてをアンロックし、それらが逆になる（Ｄ２とは反対の方向になる）ことを可能にする。
【０１３０】
カム７６のそれぞれが回転するとき、それは、また、近隣の駆動レール２０のブロック６６に係合する。カム７６は、それぞれのブロック６６を押し、それによって、駆動レール２０のそれぞれを押して（一緒に）逆にする。
【０１３１】
駆動レール２０が逆になるときに、それらのラック６０は、Ｄ２とは反対の方向に十分に移動し、先頭の１次的なペグ６８をそれぞれの１次的なピニオン７０と係合させる。それぞれのラック６０の先頭の１次的なペグ６８が、そのそれぞれの１次的なピニオン７０と完全に係合されているときに、カム７６は、図７に示されているように、それらのレスト位置に戻る。
【０１３２】
メイン・ドライブ・モーターは、次いで、１次的なピニオン７０を回転させ、すべてのラック６０を逆になるように駆動し、結果的に、駆動レール２０のすべてを逆になるように駆動する。駆動レール２０は、Ｄ２とは反対の方向に所定の距離だけ移動し、ウェーブのサイズを制御し、すなわち、１次的なピニオン７０の逆回転は、選ばれた数の回転（または、部分的な回転）の後に休止され、所定の後退位置において駆動レール２０のすべてを停止させる。
【０１３３】
駆動部材２０は、ウェーブがセットされている間に、図１０の後退位置にいるままであることが可能である。代替的な配置では、駆動レールは、それらのスタート位置へ戻る途中で、図１０の後退位置を単に通過し、駆動レールがそれらのスタート位置へ後退して戻された後にのみ、髪の所定の長さがセットされる。髪のセクション３６は、駆動部材２０がそれらのスタート位置へ移動して戻された（そして、ペグ２２は、もはや髪受け入れチャネル３８の中へ突き出ていない）ときには、髪受け入れチャネル３８の中により自由に移動することが可能であるということが理解されることとなる。したがって、後退の程度は、髪の所定の長さの中に形成されるウェーブを変化させるために使用され得、後退が大きければ大きいほど、髪のセクション３６により大きい自由を与え、一般的に、より自然に見えるウェーブを提供する。
【０１３４】
駆動レール２０がそれらの所望の後退位置へ移動して戻されたときに、１つまたは複数のヒーターが作動させられ、所望のウェーブを形成するために十分に髪を加熱する。髪が十分に加熱されたときに、ヒーターは、スイッチが切られ、加熱されたコンポーネントは、より低いアイドル温度まで冷却することを許容される。理想的には、髪のセクションは、コンポーネントが冷却されているときに、デバイス１０の中に保たれており、これは、ウェーブ形態が維持された状態で髪が冷却することを可能にすることによって、所望のウェーブを形成することを助ける。
【０１３５】
加熱および冷却サイクルが完了すると、１次的なピニオン７０は、それぞれのラック６０の１次的なペグ６８に対して同時に作用し、すべてのラックを駆動し、結果的に、駆動レール２０のすべてを駆動し、それらのスタート位置に戻す。ラック６０は、それぞれの回転している１次的なピニオン７０が末尾の１次的なペグ６８から解除されるまで、逆になるように駆動されるということが理解されることとなる。その位置において、ガイド部材５２は、駆動部材２０をそれらのスタート位置に一時的に固定するために、弾性ラッチまたはクリップ８８に係合する。
【０１３６】
したがって、デバイス１０のドライブ・システムは、２段階移動で所定の経路に沿って移動するように、複数の駆動レール２０を作動させることが可能であり、駆動部材２０は、それらの限界位置までシーケンシャルに移動する。ドライブ・システムは、デバイス１０の重量を最小化するために、２つのモーターだけを利用しており、１つの駆動レールの移動をその近隣の駆動レールにリンク接続させるための手段を有している。代替的な配置では、それぞれの駆動レール２０の移動は、それが望まれる場合には、恐らく、それぞれの駆動レールのための１つまたは複数の別個のモーターによって、個別に制御され得る。また、駆動レール２０が、それらの移動の第１の段階の間に、（角度付きの）方向Ｄ１に移動している間に、他のドライブ・システムは、移動の第１の段階の間に、駆動レールが第２の方向Ｄ２に対して垂直の方向に移動することを引き起こし得る。
【０１３７】
シャフト８０、８２が中央スロット７８の縁部８４の底部端部（見られるように）に到達するときには、駆動レール２０は、その中間位置に到達しており、すなわち、駆動レール２０が、その移動の第１の段階の終わり、および、第１の方向Ｄ１へのその移動の終わりに到達したということが理解されることとなる。その中間位置において、ペグ２２（および、ペグ２２同士の間の線形縁部４０も）は、図４に表されているように、髪受け入れチャネル３８の中へ移動させられている。
【０１３８】
また、駆動レール２０が、その移動の第２の段階の間に方向Ｄ２に移動するときに、ペグ２２は、図５に表されているように、それらのそれぞれの髪受け入れチャネル３８に沿って移動するということが理解されることとなる。
【０１３９】
駆動部材２０のシーケンシャルな移動は、デバイス１０の中への髪の所定の長さの漸進的導入を結果として生じさせる。図２の表現図では、髪のセクション３６の端部４８は、髪のセクションの頭皮端部を表している。髪のセクション３６の自由端部は、ページの右手縁部を越えて延在している。頭皮端部４８に最も近い駆動レール２０が最初に移動し、近隣の駆動部材が２番目に移動し、以下同様に続くように、デバイス１０が配向されるということにされる。髪のセクション３６の頭皮端部は、相対的に固定されており、したがって、第１の駆動レール２０の移動は、髪のセクションのより多くが自由端部から引き込まれることを引き起こす。上記に説明されているように、それぞれの後続の駆動レール２０が移動させられるときに、髪のセクション３６のさらにより多くが引き込まれ、理想的には、駆動部材２０の最後がその限界位置に到達する前に、髪のセクション３６の自由端部がデバイスの中へ引き込まれる（髪の選ばれたセクションの全長に沿って、ウェーブが付与されるようになっている）。駆動レールの数、および、駆動レールが（とりわけ、方向Ｄ２に）移動する距離は、所望の長さまでウェーブが髪のセクションに付与され得ることを保証するように選ばれ得る。
【０１４０】
図８〜図１０は、理解の目的のために、閉鎖パーツ１６が開いている状態で、駆動部材２０が移動した人工的な位置を示している。実際には、好ましくは、制御システムは、閉鎖パーツ１６がその閉位置にない場合には、移動するように駆動部材２０を作動させることとはならないということにされる。
【０１４１】
上記に述べられているように、デバイス１０は、電気式の加熱エレメント（見えない）を含む。加熱エレメントは、たとえば、ガード・レール２８のそれぞれの中に、および／または、形成部材２４のそれぞれの中に位置付けされ得る。代替的に、高温空気が、髪受け入れチャネルに沿って吹き付けられ、髪のセクションを加熱し、ウェーブをセットすることが可能である。典型的に、おおよそ２００℃の温度が、髪のセクションの中にウェーブ形態をセットするために使用されることとなるが、異なる髪タイプは、異なるスタイリング温度を必要とすることとなり、また、より低い／より高い温度が、より長い／より短いスタイリング持続期間とともに使用され得るということが認識される。
【０１４２】
閉鎖パーツ１６は、所定の時間の期間の後に（自動的に）開けられ得、その期間は、ユーザーによって決定されるか、または、好ましくは、ウェーブ形態をセットするために必要とされるのに応じて事前決定される。しかし、ウェーブ形態のその後の喪失を最小化することを求めるために、また、開けられたデバイスの加熱されたパーツにユーザーが不注意に触れた場合に引き起こされる痛みを低減させることを求めるために、髪のセクション３６がデバイス１０から除去される前に、髪のセクション３６を冷却することが好ましい。
【０１４３】
ヘア・スタイリング・デバイス１０の第１の実施形態において、空気フロー発生器（見えないが、理想的には、ファンまたはインペラー）が、本体部１２の中に装着されており、デバイス１０の中へ大気をポンプ送りし、デバイスの中の髪３６の（スタイリングされた）セクションを冷却する。図１は、本体部１２および閉鎖パーツ１６の端部にグリルを示しており、グリルを通して、大気が受け入れられ（または、所望に応じて、排出され）、本体部の他方の端部において、１つまたは複数の対応するグリルが存在している。望ましくは、髪のスタイリングされたセクションは、閉鎖パーツ１６が開けられ、髪のスタイリングされたセクションが除去される前に、おおよそ１００℃の温度まで冷却される。空気フロー発生器が作動させられる前に、駆動部材２０をそれらのスタート位置に移動させて戻すことは、デバイスを通る空気フロー、および、とりわけ、髪受け入れチャネル３８に沿った空気フローを促進させることとなるということが理解されることとなる。
【０１４４】
空気フロー発生器の使用は、随意的なものであり、代替的な実施形態は、単純に熱のスイッチを切り、放射または対流に依存し、デバイスの加熱されたパーツおよび髪３６のスタイリングされたセクションを、それが除去される前に冷却することが可能であるということが理解されることとなる。
【０１４５】
次の髪のセクション３６が、比較的に冷温のデバイス１０の中へ挿入され得、比較的に冷温の表面は、髪のセクションが変形させられるときに、髪のセクションに損傷を与える傾向が低く、また、髪のセクションが変形させられるときに、髪のセクションの弾性を維持するということが、二重温度体制の利益である。したがって、髪のセクションは、それがウェーブ状の形態へと変形させられ、その後に、髪受け入れチャネル３８の中で弛緩することを許容されたときにだけ、スタイリング温度（たとえば、おおよそ２００℃）を経験する。
【０１４６】
形成されているウェーブを変化させるために、スタイリング（高い）温度がユーザーによって調節され得るということが理解されることとなる。同様に、髪のそれぞれのセクションのためのスタイリング・プロセスの持続期間は、形成されているウェーブを変化させるために調節され得る。
【０１４７】
示されている実施形態では、駆動部材の移動は、長手方向のチャネル５０によって、ガイド・チャネル５６によって、および、開口部または中央スロット７８によって制御され、第１の方向Ｄ１への移動の範囲は、とりわけ、短い方のガイド・チャネル５６の長さ、および、中央スロット７８の縁部８４の対応する長さによって決定される状態になっている。代替的な実施形態では、方向Ｄ１およびＤ２の両方への駆動部材２０の移動は、別個に制御され得、それによって、ウェーブの形態を変化させるために、それらの方向のそれぞれに移動させられる距離をユーザーが調節することを可能にする。それにもかかわらず、ヘア・スタイリング・デバイスのそれぞれの駆動部材が、それぞれの方向Ｄ１およびＤ２の両方に同じ距離だけ移動し、それぞれの駆動部材が独立して制御および作動させられるとしても、均一なウェーブが髪のセクション３６に沿って形成されるようになっているということが望ましい。
【０１４８】
ドライブ・メカニズムのための制御システム、ならびに、とりわけ、１次的なピニオン７０を駆動するメイン・ドライブ・モーターおよびカム７６を駆動する第２のドライブ・モーターのための制御システムが、本体部１２の中に装着されている。制御システムは、メイン・ドライブ・モーターにかかる負荷を測定することが可能であり、負荷が所定の閾値を超える場合には、それは、モーターを停止させ、閉鎖パーツ１６を開けることが可能であり、あまりに多くの髪がデバイスの中へ挿入された場合、または、髪のセクションがもつれた場合のいずれかには、モーター過負荷が起こる傾向にあるということが認識される。閉鎖パーツ１６が開けられると、ユーザーは、髪のセクションを抽出し、プロセスを再スタートさせることができることとなるということが予期される。
【０１４９】
また、制御システムは、誤って設置された髪を検出するために位置決めされているセンサーと通信することが可能である。たとえば、ガイド３０および／または３２は、それらのガイドと閉鎖パーツ１６との間に不注意に捕捉された可能性のある髪の存在を検出するように適合されたセンサー（恐らく、光学センサー）を担持することが可能である。制御システムは、誤って設置された髪が検出される場合には、駆動部材２０の移動を防止し、警告信号をユーザーに発することが可能である。
【０１５０】
図面は、細長い駆動レール２０および同様に細長い形成レール２４を有する特定の実施形態を示しているが、レールは、はるかに短い駆動部材および形成部材によって交換され得、そのそれぞれは、恐らく、２つのペグ２２、２６だけを有するということが理解されることとなる。そのようなデバイスは、髪のリボンよりもむしろ髪の束をスタイリングするのに適切であることとなるが、それにもかかわらず、本発明の利点のうちのいくつかから利益を受けることが可能である。
【０１５１】
ドライブ・メカニズムの第２の実施形態が、図１１〜図１５に示されている。この実施形態は、図６〜図１０のドライブ・メカニズムの第１の実施形態から構造的に異なっており、また、下記に説明されているように、その動作の方法の観点からも異なっている。相違点が下記に説明されているが、多くの類似点（たとえば、図３〜図５に関連して説明された動作の一般的原理を含む）が存在しており、第２の実施形態による複数のドライブ・メカニズムが、たとえば、図１のものと同様に、ヘア・スタイリング・デバイスの中で使用され得るということが理解されることとなる。
【０１５２】
第１に、駆動レール１２０のペグ１２２は、ペグ２２よりも（第２の方向Ｄ２に対して垂直の方向に）著しく短い（この実施形態では、ペグ１２２は、ペグ２２に関する１５ｍｍの高さと比較して、６ｍｍの高さを有している）。また、駆動レール１２０が第２の方向Ｄ２に対して垂直に移動する距離も低減されている。これらの構造的な修正の両方が、第２の方向Ｄ２に対して垂直のドライブ・メカニズムの寸法を低減させ、それによって、ヘア・スタイリング・デバイスの全体的なサイズの低減を可能にする。
【０１５３】
第２に、ペグ１２２は、第２の方向Ｄ２に角度付きになっており、より鋭く尖っている。これらの構造的な修正は、ペグ１２２がスタイリングされている髪のセクションの中の個々の髪のすべてを効果的に捕獲することを保証することを助け、使用中のヘア・スタイリング・デバイスのパーツによって任意の個々の髪が捕捉される可能性を（さらに）低減させる。
【０１５４】
第３に、ペグ１２２のそれぞれの側部１４６ｃは、角度付きになっており、駆動レールの移動が逆にされるときに、髪の所定の長さが駆動レール１２０の線形縁部１４０から離れるようにより積極的に押されることを引き起こすようになっている。この構造的な修正は、駆動レールが逆にされるときに、髪の所定の長さがより自然なウェーブへと弛緩するように促す。
【０１５５】
第４に、ドライブ・メカニズムの第２の実施形態は、２次的なピニオンを含んでおらず、したがって、２次的なペグまたは３次的なペグも含んでいない。近隣のドライブ・メカニズム同士の間の相互作用は、下記に説明されているように、メカニズムの他のパーツによって提供される。
【０１５６】
第５に、ラッチ１６４の形状および場所が変更されており、それは、また、第２の方向Ｄ２に対して垂直の方向へのドライブ・メカニズムの寸法を低減させ、ヘア・スタイリング・デバイスのサイズの低減を可能にする。
【０１５７】
ドライブ・メカニズムの第１の実施形態と第２の実施形態との間の１つの主な類似点は、それぞれのドライブ・メカニズムのパーツが、ガード・レールの対向する側部に位置付けされているということである。とりわけ、そのペグ２２、１２２を備えた駆動レール２０、１２０は、ガード・レール２８、１２８の一方の側部に位置付けされており、ガード・レールの他方の側部においてラック６０、１６０に接続されている。接続は、ボスによって行われており、ボスは、ガード・レールの中の細長い長手方向のチャネル５０、１５０を通過している。ボスは、チャネル５０、１５０に沿ってスライドし、それらの移動の間に、支持および案内を駆動レール２０、１２０に提供する。また、複数のドライブ・メカニズムが存在しており、第１のドライブ・メカニズムの構成部品のうちのいくつかが、第２のドライブ・メカニズムの構成部品と相互作用しており（それ以降も同様）、それぞれの駆動レールの移動がリンク接続され得るようになっている。この後のほうの共通性は、上記に説明されているように、実用的なデバイスの中で必要とされるモーターの数を最小化する。
【０１５８】
他の構造的な相違点、および、結果として生じるドライブ・メカニズムの動作に対する変化は、下記の動作のシーケンスで説明され、繰り返しになるが、図１１および図１４に表されているように、駆動レール１２０のすべてがそれらのスタート位置にある位置から開始して説明される。その位置では、図１１に見られるように、１次的なペグ１６８は、１次的なピニオン１７０に係合していない。
【０１５９】
最初に、カム１７６が、図１１に見られるように、時計回り方向に回転させられる。この回転の間に、第１のドライブ・メカニズムのカム１７６によって担持されているエキストラ・ローブ１９０は、始動エレメントとして作用し、第１のラック１６０の１次的なペグ１６８のうちの１つに係合し、方向Ｄ２にラック１６０を押す。他のドライブ・メカニズムのカム１７６は、エキストラ・ローブを有しておらず、したがって、それらの対応する回転は、第２の、第３のラック１６０などの移動を引き起こさない。エキストラ・ローブ１９０は、方向Ｄ２に十分に遠くに（第１の）ラック１６０を押し、先頭の１次的なペグ１６８が１次的なピニオン１７０の歯に係合するようになっている。
【０１６０】
次いで、１次的なピニオン１７０は、１次的なペグ１６８に係合しながら、図１１に見られるように、時計回りに回転するように、メイン・ドライブ・モーター（図示せず）によって駆動される。したがって、ラック１６０は、方向Ｄ２に駆動される。
【０１６１】
上記に説明されている第１のドライブ・メカニズムと同様に、駆動レール１２０の２段階移動が、中央スロット１７８の成形によって引き起こされ（図１４および図１５を参照）、すなわち、それぞれのメイン・ドライブ・モーターおよび第２のドライブ・モーター（図示せず）のドライブ・シャフト１８０、１８２が、適切な位置に固定されており、駆動レール１２０が中央スロット１７８の形状にしたがって方向Ｄ１およびＤ２に移動することならびに長手方向のチャネル１５０に沿ったラック１６０の運動によって駆動されることを引き起こす。
【０１６２】
１次的なピニオン１７０は、１次的なペグ１６８に対抗して駆動することによって、方向Ｄ２にラック１６０を駆動するように回転し続ける。ラック１６０が前方に移動するときに、第１のラック１６０のガイド部材１５２は、近隣の（第２の）ドライブ・メカニズムの上昇したセクションの縁部１７２に係合することとなる。上昇したセクションは、ラック１６０の残りの部分から突き出て（ｐｒｏｕｄ）立っており、したがって、図１１に見られるように、ラック１６０の残りの部分よりも見る人の近くにあるということが理解されることとなる。第２の駆動レール１２０は、初期には、図１１のものと同様に、そのスタート位置にある。結果的に、第１のドライブ・メカニズムのガイド部材１５２が方向Ｄ２に移動するとき、それは、縁部１７２および結果的に第２のラック１６０を方向Ｄ２に押すことによって、第２のドライブ・メカニズムの移動を始動させる。第１および第２のラック１６０は、ガイド部材１５２および縁部１７２の相互係合に起因して、同時に前方に一時的に駆動される。
【０１６３】
ラック１６０の末尾の端部１９２は、ラッチ１６４と同じ平面の中に存在している。第１の駆動レール１２０がその限界位置に向けて移動するとき、末尾の端部１９２は、ラッチ１６４の傾斜した縁部１９４の端部を通過する（図１３を参照）。ラッチは、図１１および図１２に見られるように、反時計回りにバネ付勢されており、また、ラック１６０の末尾の端部１９２が傾斜した縁部１９４を越えて移動するとき、ラッチは、図１２に示されているように、反時計回りに数度回転し、末尾の端部１９２の後ろに移動する。ラッチ１６４をバネ付勢していること、および、傾斜した縁部１９４を角度付きにしていることは、図１２にも見られるように、１次的なペグ１６８が１次的なピニオン１７０から解除されたことにかかわらず、ラック１６０をその限界位置へ方向Ｄ２により遠くに移動させるように作用する。したがって、ラッチ１６４は、図１２および図１５に示されているように、第１の駆動レール１２０をその限界位置に一時的に固定する。
【０１６４】
第２のラック１６０が方向Ｄ２に移動するときに、その１次的なペグ１６８は、その１次的なピニオン１７０と係合し、１次的なピニオン１７０の回転は、第１の駆動レールのものと同様の経路に沿って移動するように第２のラック１６０を駆動し、結果的に、第２の駆動レール１２０を駆動する。そのシーケンスは、駆動レール１２０のすべてをシーケンシャルに移動させ続け、すべての駆動レールがそれらの限界位置にラッチ係合されるまで、１つの駆動レールから次のものへ同じ相互作用を繰り返す。
【０１６５】
駆動レールの移動を逆にするために、第２のドライブ・モーターは、図１２に見られるように、反時計回り方向にカム１７６を回転させ、すべてのラッチ１６４を同時に解放する。これは、駆動レール１２０のすべてをアンロックし、それらが逆になることを可能にする。また、カム１７６のそれぞれが回転するとき、それは、ラック１６０のペグ１６６に係合する。カム１７６は、それぞれのペグ１６６を押し、それによって、駆動レール１２０のそれぞれを押して（一緒に）逆にする。駆動レール１２０が逆になるときに、それらのラック１６０は、１次的なペグ１６８をそれぞれの１次的なピニオン１７０と係合させるのに十分に移動する。次いで、１次的なピニオン１７０は、（図１１に見られるように、反時計回りに）回転し、すべてのラック１６０、および、結果的に、駆動レール１２０のすべてを、Ｄ２とは反対の方向に駆動する。
【０１６６】
第１の実施形態と同様に、駆動部材１２０のすべては、後退位置へ移動させられ得、後退位置において、髪のセクションの中にウェーブをセットするために、熱が印加される；代替的に、駆動レール１２０は、直接的にスタート位置またはレスト位置に移動して戻され得る。
【０１６７】
サイクルの終わりにおいて、ラック１６０のそれぞれは、図１１に見られるように、それぞれの回転している１次的なピニオン１７０が１次的なペグ１６８から解除されるまで、逆になるように駆動される。その位置において、ラック１６０のペグ１６６は、ラッチ１６４のバネ付勢された突出部１８８を通過しており、突出部１８８の弾性は、駆動レール１２０をそのスタート位置に一時的に固定する。
【０１６８】
上記に説明されているドライブ・メカニズムの両方が２つのモーターを組み込んでいるが、（第１の駆動レール２０、１２０の始動移動は別として）駆動レール２０、１２０のすべては、単一のメイン・ドライブ・モーターによってそれらのスタート位置からそれらの限界位置へ駆動されるということが理解されることとなる。他の実施形態は、上記に説明されている実施形態の第２のモーターを除外することが可能であり、ドライブ・システムが単一のモーターだけを含むようになっている。たとえば、始動エレメントは、第１の駆動レールのラックの追加歯を含むことが可能であり、第１のドライブ・メカニズムのラックがスタート位置においてそのピニオンと係合されたままになるようになっている（それによって、第１の駆動レールの移動を始動させるための第２のモーターの要件を回避する）。
【０１６９】
また、駆動レールをそれらの限界位置に一時的に固定するラッチは除外され得、それぞれの（回転している）ピニオンが、駆動レールをそれらの限界位置に維持した状態になっている（それによって、ラッチ解放メカニズムを作動させるための第２のモーターの要件を回避する）。しかし、駆動レールがそれらの限界位置においてラッチ係合される実施形態においても、他の手段（たとえば、１つまたは複数のソレノイドなど）が、ラッチ・メカニズムを解放するために提供され得、また、メイン・ドライブ・モーターに係合するように、駆動レールをそれらの限界位置から離れるように移動させるために提供され得る。
【０１７０】
単一のモーターだけを組み込む別の代替的なドライブ・システムでは、最後のドライブ・メカニズムは、ラッチ・メカニズムを除外することが可能であり、その代わりに、他のドライブ・メカニズムのラッチのためのラッチ・リリース・メカニズムを組み込むことが可能である。そのような配置では、第１の、第２のなど、最後から２番目までの駆動レールは、そのそれぞれの限界位置の中へラッチ係合され得、ラッチ・メカニズムは、最終的な駆動レールがその限界位置に接近するときの最終的な駆動レールの移動によって解放され得る（そして、駆動レールのすべてが、それらの限界位置から離れるように駆動され得る）。
【０１７１】
単一のモーターだけを組み込むさらに別の代替的なドライブ・システムでは、単一のモーターは、別個のドライブ・システムに接続され得、ドライブ・システムのうちの一方は、ピニオン７０、１７０を回転させ、他方のドライブ・システムは、カム７６、１７６を回転させる。適切な制御システムは、動作の異なる段階の間に、モーターを別個のドライブ・システムに接続するために／別個のドライブ・システムから切り離すために組み込まれ得る。
【０１７２】
図１６は、一体ハンドル２１４を備えた本体部２１２を含むヘア・スタイリング・デバイス２１０の第２の実施形態を示している。閉鎖パーツまたは蓋部２１６が、本体部２１２に接続されている。この実施形態は、２パーツのハンドル２１４を有しており、閉鎖パーツ２１６は、第２のハンドル・パーツ２１４ａに接続されており、公知の方式でハンドル・パーツを一緒に押圧することによって、ユーザーが閉鎖パーツ２１６をその閉位置へ移動させることを許容する。ハンドル・パーツは、好ましくは、図１５に示されているように、それらの開位置へ離れるように付勢されている。この第２の実施形態のハンドル２１４は、駆動レール２２０の長手方向軸線と実質的に整合させられており、ハンドルが、第１の実施形態の「ピストル・グリップ」配向とは対照的に、「ワンドのような（ｗａｎｄ−ｌｉｋｅ）」配向を有するようになっている。
【０１７３】
上記に説明されている第１の実施形態に対する別の重要な相違点は、示されている開いた条件において、ガイド２３０が本体部２１２と閉鎖パーツ２１６との間の距離に完全に広がっており、それによって、任意の髪が捕捉され得る位置において、任意の髪がデバイスの中へ挿入されることを防止するということである。ガイド・パーツ２３０は、閉鎖パーツ２１６から（見られるように、下向きに）突き出るように装着されており、デバイスが閉じられているときに、ガイド・パーツは、本体部１１２の中の協働する凹部の中へ（さらに）移動する。代替的な実施形態では、ガイド・パーツは、本体部から（上向きに）突き出るように装着されており、デバイスが閉じられているときに、ガイド・パーツは、閉鎖パーツの中の協働する凹部の中へ（さらに）移動する。
【０１７４】
ヘア・スタイリング・デバイス２１０は、所望に応じて、図６〜図１０のドライブ・メカニズムの第１の実施形態、または、図１１〜図１５のドライブ・メカニズムの第２の実施形態を組み込む、ドライブ・システムを有することが可能である。
【０１７５】
ドライブ・システムは、図１７および図１８に示されており、取り囲むハウジング・パーツから分離されている。ドライブ・システムは、ドライブ・メカニズムの第２の実施形態のわずかに修正されたバージョンであり、それは、第２の方向Ｄ２に対して垂直のその低減された寸法に起因して好適である。
【０１７６】
ヘア・スタイリング・デバイス２１０のドライブ・メカニズムは、上記に説明されているドライブ・メカニズムの第２の実施形態と非常に類似しており、それらの動作は同じであり、それは繰り返されることとはならない。しかし、中央スロット２７８を取り囲む材料の大半が、材料および重量を節約するために除去されたということが図１７および図１８から明らかである。また、ラッチ２６４は、ドライブ・メカニズムの第２の実施形態の成形プラスチック弾性エレメント１９６の代わりに、金属製弾性エレメント２９６を組み込んでいる（ラッチによって遭遇されることが予期される温度において、金属バネは長い期間にわたってその弾性を維持する傾向がより大きいということが理解されることとなる）。そのうえ、ラッチ２６４は、カム２７６によって係合されている金属製エレメント２９８を有している。
【図１】
2020537574.tif 000003
【図２】
2020537574.tif 000004
【図３】
2020537574.tif 000005
【図４】
2020537574.tif 000006
【図５】
2020537574.tif 000007
【図６】
2020537574.tif 000008
【図７】
2020537574.tif 000009
【図８】
2020537574.tif 000010
【図９】
2020537574.tif 000011
【図１０】
2020537574.tif 000012
【図１１】
2020537574.tif 000013
【図１２】
2020537574.tif 000014
【図１３】
2020537574.tif 000015
【図１４】
2020537574.tif 000016
【図１５】
2020537574.tif 000017
【図１６】
2020537574.tif 000018
【図１７】
2020537574.tif 000019
【図１８】
2020537574.tif 000020
【国際調査報告】
2020537574.tif 000021
2020537574.tif 000022
2020537574.tif 000023